(57)【特許請求の範囲】
【請求項１】
原稿に表される画像である原稿画像を無彩として読み取るモノクロラインセンサと、前記原稿画像を有彩として読み取る複数のカラーラインセンサとを備え、前記原稿画像を表す画像信号を出力するイメージセンサと、
前記イメージセンサから出力された前記画像信号を画像処理手段に転送する複数の信号パスと、
前記モノクロラインセンサから出力された前記画像信号に対して画像処理を行って画像データを生成する及び複数のカラーラインセンサから出力された前記画像信号に対して画像処理を行って画像データを生成することのうち少なくとも一方を行う画像処理手段と、
前記イメージセンサからの前記画像信号の出力及び前記信号パスから前記画像処理手段への前記画像信号の転送を制御する制御手段と、
前記イメージセンサの動作モードを選択するモード選択手段とを有し、
前記制御手段は、前記モード選択手段により第１の動作モードが選択された場合は、複数の前記カラーラインセンサからそれぞれ第１の主走査解像度の第１の画像信号を出力させ、複数の前記信号パスのうち前記カラーラインセンサの数以上の信号パスから、前記第１の画像信号を前記画像処理手段に転送させ、前記モード選択手段により第２の動作モードが選択された場合は、前記モノクロラインセンサから第１の主走査解像度の第２の画像信号を出力させ、複数の前記信号パスのうち２つ以上の信号パスを使用して、前記第２の画像信号を前記画像処理手段に転送させ且つ複数の前記カラーラインセンサから第２の主走査解像度の第３の画像信号を出力させ、複数の前記信号パスのうち前記第２の画像信号の転送に使用しない信号パスを使用して、前記第３の画像信号を前記画像処手段に順次転送させる
ことを特徴とする画像読取装置。
【請求項２】
前記制御手段は、前記モノクロラインセンサに対して蓄積時間を規定するモノクロラインシンク及び複数の前記カラーラインセンサに対して蓄積時間を規定するカラーラインシンクを各々供給する信号供給手段と、
前記モノクロラインシンクによって規定する蓄積時間及び前記カラーラインシンクによって規定する蓄積時間を各々設定する設定手段とを有し、
前記設定手段は、前記モード選択手段により前記第１の動作モードが選択された場合は、前記カラーラインシンクによって規定する蓄積時間を第１の周期に設定し、前記モード選択手段により前記第２の動作モードが選択された場合は、前記モノクロラインシンクによって規定する蓄積時間を第２の周期に設定し且つ前記カラーラインシンクによって規定する蓄積時間を第３の周期に設定する
ことを特徴とする請求項１に記載の画像読取装置。
【請求項３】
前記画像処理手段により生成された前記画像データを記憶する記憶手段を更に備え、
前記画像処理手段は、前記モード選択手段により前記第１の動作モードが選択された場合、複数の前記カラーラインセンサから出力された前記第１の画像信号から第１の画像データを生成してこれを前記記憶手段に記憶させ、前記モード選択手段により前記第２の動作モードが選択された場合、前記モノクロラインセンサから出力された前記第２の画像信号から第２の画像データを生成し且つ複数の前記カラーラインセンサから出力された前記第３の画像信号から第３の画像データを生成し、前記第２の画像データ及び第３の画像データを前記記憶手段に記憶させる
ことを特徴とする請求項１又は２に記載の画像読取装置。
【請求項４】
複数の前記カラーラインセンサから出力された前記画像信号から、前記原稿画像が有彩か無彩かを判定する判定手段と、
前記画像処理手段から前記記憶手段への前記画像データの記憶を制御する記憶制御手段とを更に備え、
前記記憶制御手段は、前記モード選択手段により前記第２の動作モードが選択された場合且つ前記判定手段により前記原稿画像が有彩であると判定された場合、前記第３の画像データのみを前記記憶手段に記憶させ、前記モード選択手段により前記第２の動作モードが選択された場合且つ前記判定手段により前記原稿画像が無彩であると判定された場合、前記第２の画像データのみを前記記憶手段に記憶させる
ことを特徴とする請求項３に記載の画像読取装置。
【請求項５】
前記制御手段は、前記モード選択手段により第３の動作モードが選択された場合は、前記モノクロラインセンサから第２の主走査解像度の第４の画像信号を出力させ、複数の前記信号パスのうち１つ以上の信号パスを使用して、前記第４の画像信号を前記画像処理手段に転送させ且つ複数の前記カラーラインセンサから前記第３の画像信号を出力させ、複数の前記信号パスのうち前記第４の画像信号の転送に使用しない信号パスを使用して、前記第３の画像信号を前記画像処理手段に順次転送させる
ことを特徴とする請求項１に記載の画像読取装置。
【請求項６】
前記制御手段は、前記モノクロラインセンサに対して蓄積時間を規定するモノクロラインシンク及び複数の前記カラーラインセンサに対して蓄積時間を規定するカラーラインシンクを各々供給する信号供給手段と、
前記モノクロラインシンクによって規定する蓄積時間及び前記カラーラインシンクによって規定する蓄積時間を各々設定する設定手段とを有し、
前記設定手段は、前記モード選択手段により前記第３の動作モードが選択された場合は、前記カラーラインシンクによって規定する蓄積時間を第１の周期に設定し且つ前記モノクロラインシンクによって規定する蓄積時間を第２の周期に設定する
ことを特徴とする請求項５に記載の画像読取装置。
【請求項７】
前記制御手段は、前記モード選択手段により前記第３の動作モードが選択された場合は、前記モノクロラインセンサから第２の主走査解像度の第４の画像信号を出力させ、複数の前記信号パスのうち１つ以上の信号パスを使用して、前記第４の画像信号を前記画像処理手段に転送させ且つ前記複数のカラーラインセンサから前記第３の画像信号をそれぞれ出力させ、複数の前記信号パスのうち前記第４の画像信号の転送に使用しない１つ以上の信号パスを使用して、複数の前記カラーラインセンサのうち特定のカラーラインセンサからの前記第３の画像信号を前記画像処理手段に転送させ、複数の前記信号パスのうち前記第４の画像信号及び前記特定のカラーラインセンサからの前記第３の画像信号の転送に使用しない信号パスを使用して、複数の前記カラーラインセンサのうち特定のカラーラインセンサ以外の他のカラーラインセンサからの前記第３の画像信号を前記画像処理手段に順次転送させる
ことを特徴とする請求項１に記載の画像読取装置。
【請求項８】
前記制御手段は、
前記モノクロラインセンサに対して蓄積時間を規定するモノクロラインシンク、前記特定のカラーラインセンサに対して蓄積時間を規定する第１のカラーラインシンク及び前記他のカラーラインセンサに対して蓄積時間を規定する第２のカラーラインシンクを各々供給する信号供給手段と、
前記モノクロラインシンクによって規定する蓄積時間、前記第１のカラーラインシンクによって規定する蓄積時間及び前記第２のカラーラインシンクによって規定する蓄積時間を各々設定する設定手段とを有し、
前記設定手段は、前記モード選択手段により前記第１の動作モードが選択された場合は、前記第１のカラーラインシンクによって規定する蓄積時間及び前記第２のカラーラインシンクによって規定する蓄積時間を第１の周期に各々設定し、前記モード選択手段により前記第２の動作モードが選択された場合は、前記モノクロラインシンクによって規定する蓄積時間を第２の周期に設定し且つ前記第１のカラーラインシンクによって規定する蓄積時間及び第２のカラーラインシンクによって規定する蓄積時間を第３の周期に設定し、前記モード選択手段により前記第３の動作モードが選択された場合は、前記モノクロラインシンクによって規定する蓄積時間及び前記第１のカラーラインシンクによって規定する蓄積時間を前記第２の周期に設定し且つ前記第２のカラーラインシンクによって規定する蓄積時間を前記第１の周期に設定する
ことを特徴とする請求項７に記載の画像読取装置。
【請求項９】
前記画像処理手段により生成された前記画像データを記憶する記憶手段を更に備え、
前記画像処理手段は、前記モード選択手段により前記第１の動作モードが選択された場合、前記複数のカラーラインセンサから出力された前記第１の画像信号から第１の画像データを生成してこれを前記記憶手段に記憶させ、前記モード選択手段により前記第２の動作モード又は前記第３の動作モードが選択された場合、前記モノクロラインセンサから出力された前記第２の画像信号から第２の画像データを生成し且つ複数の前記カラーラインセンサから出力された前記第３の画像信号から第３の画像データを生成し、前記第２の画像データ及び第３の画像データを前記記憶手段に記憶させる
ことを特徴とする請求項５乃至８のいずれか一項に記載の画像読取装置。
【請求項１０】
複数の前記カラーラインセンサから出力された画像信号から、前記原稿画像が有彩か無彩かを判定する判定手段と、
前記画像処理手段から前記記憶手段への前記画像データの記憶を制御する記憶制御手段とを更に備え、
前記記憶制御手段は、前記モード選択手段により前記第２の動作モード又は前記第３の動作モードが選択された場合且つ前記判定手段により前記原稿画像が有彩であると判定された場合、前記第３の画像データのみを前記記憶手段に記憶させ、前記モード選択手段により前記第２の動作モード又は前記第３の動作モードが選択された場合且つ前記判定手段により前記原稿画像が無彩であると判定された場合、前記第２の画像データのみを前記記憶手段に記憶させる
ことを特徴とする請求項９に記載の画像読取装置。
【請求項１１】
前記モノクロラインセンサに各々対応するスイッチであって前記モノクロラインセンサからの前記第２の画像信号の出力又は前記第４の画像信号の出力を切り替える第１のスイッチを更に備え、
前記制御手段は、前記モード選択手段により選択された前記動作モードに応じて、複数の前記モノクロラインセンサから前記第２の画像信号が出力される又は前記第４の画像信号が出力されるよう前記第１のスイッチを制御する
ことを特徴とする請求項５乃至１０のいずれか一項に記載の画像読取装置。
【請求項１２】
複数の前記カラーラインセンサに各々対応する第１のスイッチであって前記カラーラインセンサからの前記第１の画像信号の出力又は前記第３の画像信号の出力を切り替える第１のスイッチを更に備え、
前記制御手段は、前記モード選択手段により選択された前記動作モードに応じて、複数の前記カラーラインセンサのそれぞれから前記第１の画像信号が出力される又は前記第３の画像信号が出力されるよう前記第１のスイッチを制御する
ことを特徴とする請求項１乃至１０のいずれか一項に記載の画像読取装置。
【請求項１３】
複数の前記カラーラインセンサから出力された画像信号から、前記原稿画像が有彩か無彩かを判定する判定手段と、
前記画像処理手段により生成された前記画像データを記憶する記憶手段とを更に備え、
前記判定手段の判定結果に応じて、複数の前記カラーラインセンサから出力された画像信号から生成された画像データ又は前記モノクロラインセンサから出力された画像信号から生成された画像データのうち一方のみを前記記憶手段に記憶させる処理が行われる場合、前記モード選択手段は、前記原稿画像の読み取りが指示される際の条件に応じて、前記動作モードを選択する
ことを特徴とする請求項１に記載の画像読取装置。
【請求項１４】
前記条件は、前記原稿画像の読み取りが指示された前記原稿に対する読み取りの手順であり、
前記モード選択手段は、原稿台に載置された前記原稿から前記原稿画像を読み取る場合、前記第１の動作モードを選択し、前記原稿を読み取りガラスに搬送して前記原稿画像を読み取る場合、前記第２の動作モードを選択する
ことを特徴とする請求項１３に記載の画像読取装置。
【請求項１５】
前記原稿画像の読み取りを指示する操作入力を受け付ける操作入力受付手段とを更に備え、
前記条件は、前記原稿画像の読み取りを指示する操作入力において指定される画質モードであり、
前記モード選択手段は、前記操作入力受付手段によって前記画質モードとして写真モードが指定された場合、前記第１の動作モードを選択し、前記画質モードとして文字モードが指定された場合、前記第２の動作モードを選択する
ことを特徴とする請求項１３に記載の画像読取装置。
【請求項１６】
前記原稿画像の読み取りを指示する操作入力を受け付ける操作入力受付手段とを更に備え、
前記条件は、前記読み取りを指示する際に指定される画像の出力条件であり、
前記モード選択手段は、第１の操作手段を介して有彩での画像の出力が指定された場合、前記第１の動作モードを選択し、第２の操作手段を介して無彩での画像の出力を指定された場合、前記第２の動作モードを選択する
ことを特徴とする請求項１３に記載の画像読取装置。
【請求項１７】
前記画像処理手段から前記記憶手段への前記画像データの記憶を制御する記憶制御手段とを更に備え、
前記画像処理手段は、前記モード選択手段により前記第１の動作モードが選択された場合、複数の前記カラーラインセンサから出力された前記第１の画像信号から第１の画像データを生成し且つ複数の前記カラーラインセンサから出力された前記第１の画像信号から第４の画像データを生成し、前記第１の画像データ及び第４の画像データを前記記憶手段に記憶させ、前記モード選択手段により前記第２の動作モードが選択された場合、前記モノクロラインセンサから出力された前記第２の画像信号から第２の画像データを生成し且つ複数の前記カラーラインセンサから出力された前記第３の画像信号から第３の画像データを生成し、前記第２の画像データ及び第３の画像データを前記記憶手段に記憶させ、
前記記憶制御手段は、前記モード選択手段により前記第２の動作モードが選択された場合且つ前記判定手段により前記原稿画像が有彩であると判定された場合、前記第３の画像データのみを前記記憶手段に記憶させ、前記モード選択手段により前記第２の動作モードが選択された場合且つ前記判定手段により前記原稿画像が無彩であると判定された場合、前記第２の画像データのみを前記記憶手段に記憶させる
ことを特徴とする請求項１３乃至１６のいずれか一項に記載の画像読取装置。
【発明の詳細な説明】
【技術分野】
【０００１】
本発明は、画像読取装置に関する。
【背景技術】
【０００２】
画像読取装置の中には、画像を無彩（モノクロ）で読み取るモノクロラインセンサと画像を有彩（カラー）で読み取る複数のカラーラインセンサとを備えるイメージセンサを有する画像読取装置がある。このような画像読取装置では、カラーでの画像の読取時には複数のカラーラインセンサを使用し、モノクロでの画像の読取時にはモノクロラインセンサを使用して、原稿に表れる画像（原稿画像）を読み取る画像読取装置が存在する。このような画像読取装置は、複数のカラーラインセンサのみを備えるイメージセンサを有し、モノクロでの画像の読み取りもカラーラインセンサにて行う画像読取装置と比較すると、画像データのノイズが少なくなるなどのメリットがある。モノクロラインセンサの感度は一般的にカラーラインセンサよりも良いからである。さらにモノクロラインセンサのみについて、原稿から画像を読み取った読取信号を複数の出力端子から出力するイメージセンサを備えた画像読取装置も存在する。例えば、モノクロラインセンサに対応した２つの出力端子を持ち、一方から奇数画素の読取信号を出力し、もう一方から偶数画素の読取信号を出力するイメージセンサを備えている。この構成では、モノクロイメージセンサの１ラインあたりの読取時間を短縮することにより、カラーでの読取りに対してモノクロでの読取りを高速化できるというメリットがある。例えば、特許文献１には、モノクロでの読取の読取時間を高速化する目的で、モノクロラインセンサと複数のカラーラインセンサとを備え、かつ各々のカラーラインセンサの出力数に対してモノクロラインセンサの出力数を整数倍に設定し、モノクロでの読取時にはイメージセンサのラインシンクを短くする構成が開示されている。
【０００３】
尚、イメージセンサから読取信号を出力する方式としては、モノクロラインセンサと複数のカラーラインセンサそれぞれの読取信号を同時に出力する方式と、モノクロラインセンサ、または複数のカラーラインセンサのいずれか一方を選択し、選択された側のラインセンサの読取信号のみを出力する方式との２つが既に知られている。
【発明の概要】
【発明が解決しようとする課題】
【０００４】
しかし、従来の画像読取装置では、同じ原稿画像をカラーラインセンサとモノクロラインセンサとの両方で読み取る場合に、原稿画像の読取時間がモノクロでの読取りと比較して長くなってしまう恐れがあった。例えば自動カラー選択機能(ＡＣＳという)では、原稿画像がカラーかモノクロかを自動で判定し、原稿画像をカラーと判定した場合にはカラーラインセンサの読取信号からカラーの画像データを生成し、原稿画像をモノクロと判定した場合にはモノクロラインセンサの読取信号からモノクロの画像データを生成する。このＡＣＳにて原稿画像がカラーかモノクロかを判定するには、カラーラインセンサの読取信号が必要である。しかし、カラーラインセンサによる原稿画像の読取速度はモノクロラインセンサによる読取速度よりも遅い。従って、上述の従来の２つの方式において、同じ原稿画像をカラーラインセンサとモノクロラインセンサとの両方で読み取る場合には、カラーラインセンサでの読み取りと同じ時間が掛かる。このため、ＡＣＳでは、モノクロである原稿画像を読み取る場合でも、カラーである原稿画像を読み取る場合と同じ時間が掛かる恐れがあった。
【０００５】
この問題を解決するためには、カラーイメージセンサについてもそれぞれ複数の出力端子を持たせる構成が考えられる。しかしながらこれらの構成では、それぞれの出力端子から出力される信号に対応したアナログ信号処理回路を設ける必要があると考えられる。例えば上述の２つの方式のうち前者の方式にこの構成を適用すると、R(奇数)センサ、R(偶数)センサ、G(奇数)センサ、G(偶数)センサ、B(奇数)センサ、B(偶数)センサ、BW(奇数)センサ、BW(偶数)センサ、のそれぞれに対応した８つのアナログ信号処理回路が必要になると考えられ、画像読取装置の構成が複雑になる恐れがあった。更に、上述の２つの方式のうち後者の方式では、モノクロイメージセンサの読取信号とカラーイメージセンサの読取信号とを同時には出力することは困難である。このため、ＡＣＳにて原稿画像をモノクロと判定した場合には、原稿画像をモノクロセンサにて再度読み取る必要があり、読取時間がさらに長くなってしまう恐れがあった。
【０００６】
本発明は、上記に鑑みてなされたものであって、モノクロラインセンサと複数のカラーラインセンサとを備えるイメージセンサを有する画像読取装置において、イメージセンサの出力端子を増やすことなく、有彩での画像を表す画像信号と無彩での画像を表す画像信号とを同時に高速で取得して、画像データを生成可能な画像読取装置を提供することを目的とする。
【課題を解決するための手段】
【０００７】
上述した課題を解決し、目的を達成するために、本発明は、画像読取装置であって、原稿に表される画像である原稿画像を無彩として読み取るモノクロラインセンサと、前記原稿画像を有彩として読み取る複数のカラーラインセンサとを備え、前記原稿画像を表す画像信号を出力するイメージセンサと、前記イメージセンサから出力された前記画像信号を画像処理手段に転送する複数の信号パスと、前記モノクロラインセンサから出力された前記画像信号に対して画像処理を行って画像データを生成する及び複数のカラーラインセンサから出力された前記画像信号に対して画像処理を行って画像データを生成することのうち少なくとも一方を行う画像処理手段と、前記イメージセンサからの前記画像信号の出力及び前記信号パスから前記画像処理手段への前記画像信号の転送を制御する制御手段と、前記イメージセンサの動作モードを選択するモード選択手段とを有し、前記制御手段は、前記モード選択手段により第１の動作モードが選択された場合は、複数の前記カラーラインセンサからそれぞれ第１の主走査解像度の第１の画像信号を出力させ、複数の前記信号パスのうち前記カラーラインセンサの数以上の信号パスから、前記第１の画像信号を前記画像処理手段に転送させ、前記モード選択手段により第２の動作モードが選択された場合は、前記モノクロラインセンサから第１の主走査解像度の第２の画像信号を出力させ、複数の前記信号パスのうち２つ以上の信号パスを使用して、前記第２の画像信号を前記画像処理手段に転送させ且つ複数の前記カラーラインセンサから第２の主走査解像度の第３の画像信号を出力させ、複数の前記信号パスのうち前記第２の画像信号の転送に使用しない信号パスを使用して、前記第３の画像信号を前記画像処手段に順次転送させることを特徴とする。
【発明の効果】
【０００８】
本発明によれば、モノクロラインセンサと複数のカラーラインセンサとを備えるイメージセンサを有する画像読取装置において、イメージセンサの出力端子を増やすことなく、有彩での画像を表す画像信号と無彩での画像を表す画像信号とを同時に高速で取得して、画像データを生成可能になる。
【図面の簡単な説明】
【０００９】
【図１】図１は、複合機の概略的なハードウェア構成を例示する図である。
【図２】図２は、カラースキャナ２１０及びそれに装着されたＡＤＦ２３０の原稿画像を読み取る機構を例示する図である。
【図３】図３は、複合機ＭＦ１を制御するためのシステム構成を例示する図である。
【図４】図４は、原稿画像の読み取り及び画像処理に関連する構成を例示する図である。
【図５】図５は、動作モードに応じたＣＣＤ２０７の内部構成の概要を例示する図である。
【図６】図６は、動作モードに応じたＣＣＤ２０７の内部構成の概要を例示する図である。
【図７】図７は、カラー／モノクロ同時動作モードにおいてＣＣＤ２０７へ入力される信号及びＣＣＤ２０７から出力する信号を例示する図である。
【図８】図８は、カラー動作モードにおいてＣＣＤ２０７へ入力される信号及びＣＣＤ２０７から出力する信号を例示する図である。
【図９】図９は、複合機ＭＦ１が原稿画像を読み取る処理の概略の手順を示すフローチャートである。
【図１０】図１０は、ステップＳ１で原稿画像の読み取りモードをＡＣＳ読み取りモードに設定した場合に原稿画像を読み取る処理の手順を示すフローチャートである。
【図１１】図１１は、ＡＣＳ読み取りモードにおける各ラインセンサによる原稿画像の読み取り解像度について説明するための図である。
【図１２】図１２は、ステップＳ２で原稿画像の読み取りモードをカラー読み取りモードに設定した場合に原稿画像を読み取る処理の手順を示すフローチャートである。
【図１３】図１３は、ステップＳ２で原稿画像の読み取りモードをモノクロ読み取りモードに設定した場合に原稿画像を読み取る処理の手順を示すフローチャートである。
【図１４】図１４は、第２の実施の形態にかかるカラー／モノクロ同時動作モード２に設定されたＣＣＤ２０７の構成を例示する図である。
【図１５】図１５は、カラー／モノクロ同時動作モード２においてＣＣＤ２０７へ入力される信号及びＣＣＤ２０７から出力する信号を例示する図である。
【図１６】図１６は、複合機ＭＦ１が原稿画像を読み取る処理の概略の手順を示すフローチャートである。
【図１７】図１７は、ステップＳ４０で原稿画像の読み取りモードをＡＣＳ読み取りモード２に設定した場合に原稿画像を読み取る処理の手順を示すフローチャートである。
【図１８】図１８は、ＡＣＳ読み取りモード２における各ラインセンサによる原稿画像の読み取り解像度について説明するための図である。
【図１９】図１９は、同実施の形態の一変形例にかかるカラー／モノクロ同時動作モード２においてＣＣＤ２０７へ入力される信号及びＣＣＤ２０７から出力する信号について説明するための図である。
【図２０】図２０は、ＡＣＳ読み取りモード２における各ラインセンサによる原稿画像の読み取り解像度について説明するための図である。
【図２１】図２１は、第３の実施の形態にかかるカラー／モノクロ分離部３６１が高画質ＡＣＳモードに設定された場合に入力される信号及び出力する信号を例示する図である。
【図２２】図２２は、カラー／モノクロ分離部３６１が高生産性ＡＣＳモードに設定された場合に入力される信号及び出力する信号を例示する図である。
【図２３】図２３は、ステップＳ１で原稿画像の読み取りモードをＡＣＳ読み取りモードに設定した場合に原稿画像を読み取る処理の手順を示すフローチャートである。
【図２４】図２４は、高画質ＡＣＳモードにおける各ラインセンサによる原稿画像の読み取り解像度について説明するための図である。
【図２５】図２５は、同実施の形態の一変形例において、図９のステップＳ１で原稿画像の読み取りモードをＡＣＳ読み取りモードに設定した場合に原稿画像を読み取る処理の手順を示すフローチャートである。
【図２６】図２６は、同実施の形態の一変形例において、図９のステップＳ１で原稿画像の読み取りモードをＡＣＳ読み取りモードに設定した場合に原稿画像を読み取る処理の手順を示すフローチャートである。
【発明を実施するための形態】
【００１０】
以下に添付図面を参照して、この発明にかかる画像読取装置の一実施の形態を詳細に説明する。
【００１１】
[第１の実施の形態]
まず、本実施の形態にかかる複合機の概略的なハードウェア構成について図１を用いて説明する。本実施の形態にかかる複合機ＭＦ１は、自動原稿送り装置（ＡＤＦ）２３０と、操作ボード９０と、カラースキャナ２１０と、カラープリンタ１００と、ファクシミリコントロールユニット（ＦＣＵ：不図示）の各ユニットを備える。なお、操作ボード９０と、ＡＤＦ２３０が装着されたカラースキャナ２１０は、カラープリンタ１００から分離可能なユニットである。カラースキャナ２１０は、原稿画像の読み取りを行う。カラープリンタ１００には、ＬＡＮ(Local Area Network)等のネットワークに接続されたＰＣ（パーソナルコンピュータ）が後述のコントローラボードを介して接続され、画像の印刷を行う。印刷が行われた用紙は、図示しない排紙スタックに排出される。ＦＣＵは、電話回線ＰＮ（ファクシミリ通信回線）に接続された交換器ＰＢＸが接続されている。
【００１２】
次に、カラースキャナ２１０及びそれに装着されたＡＤＦ２３０の原稿画像を読み取る機構について図２を用いて説明する。カラースキャナ２１０は、読取ユニット２１１と、コンタクトガラス２３１とを有する。読取ユニット２１１は、照明ランプ２３２と、第１ミラー２３３と、第２ミラーミラー２３４と、第３ミラー２３５と、レンズ２３６と、走行体モーター２３８と、基準白板２３９と、基点センサ２４９とを有する。カラースキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、副走査方向ｙに定速駆動される第１キャリッジ（不図示）に搭載されている。第１キャリッジと同方向にその１／２の速度で駆動される、第２キャリッジ（不図示）には、第２ミラー２３４および第３ミラー２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電圧信号に変換される。
【００１３】
第１キャリッジおよび第２キャリッジは、走行体モーター２３８を駆動源として、ｙ方向に往（原稿走査），復（リタ−ン）駆動される。このようにカラースキャナ２１０は、コンタクトガラス２３１上の原稿を照明ランプ２３２および第１ミラー２３３で走査して原稿画像をＣＣＤ２０７に投影するフラットベッド方式の原稿スキャナであるが、シートスルー読み取りも可能なように、第１キャリッジがホームポジション（待機位置）ＨＰで停止しているときの第１ミラー２３３の読み取り視野位置に、シートスルー読み取り窓であるガラス２４０があり、このガラス２４０の上方に自動原稿供給装置(ＡＤＦ)２３０が装着されており、ＡＤＦ２３０の搬送ドラム（プラテン）２４４がガラス２４０に対向している。
【００１４】
ＡＤＦ２３０の原稿トレイ２４１に載置された原稿は、ピックアップローラ２４２およびレジストローラ対２４３で搬送ドラム２４４と押さえローラ２４５の間に送り込まれて、搬送ドラム２４４に密着して読み取りガラス２４０の上に搬送され、そして排紙ローラ２４６，２４７で、原稿トレイ２４１の下方にある圧板兼用の基体２４８上を排紙トレイとして排出される。
【００１５】
原稿の表面に表れる画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢの各色の読取信号として電圧信号に変換される。搬送ドラム２４４の表面は、読み取りガラス２４０に対向する白色背板であり、白基準面となるように白色である。
【００１６】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿画像を読み取ったにもかかわらず、読み取った画像における濃度がばらつく現象を補正（シェーディング補正）するために用意されている。
【００１７】
ＡＤＦ２３０の基体２４８は、奥側（図２紙面の裏側）でカラースキャナ２１０の基体にヒンジ結合（蝶番連結）しており、基体２４８の手前側（図２紙面の表側）の取っ手２５０ｍを持ってＡＤＦ２３０の基体２４８を引き上げることにより、ＡＤＦ２３０を起こす（開く）ことができる。ＡＤＦ２３０の基体２４８の奥側には、ＡＤＦ２３０の開閉を検出するスイッチがある。ＡＤＦ２３０の、コンタクトガラス２３１に対向する圧板２５０ｐがＡＤＦ２３０の底面部に装着されており、ＡＤＦ２３０が閉じると、圧板２５０ｐの下面が、図２に示すように、コンタクトガラス２３１の上面に密着する。
【００１８】
次に、複合機ＭＦ１を制御するためのシステム構成について図３を用いて説明する。複合機ＭＦ１のシステム構成は、エンジン２６０と、コントローラボード２７０と、操作ボード９０とに大別される。エンジン２６０は、原稿画像の読み取り及び画像の印刷を行うものであり、上述したカラースキャナ２１０、ＡＤＦ２３０及びカラープリンタ１００と、ＣＰＵ（Central Processing Unit）２６１と、画像入出力処理部２６２とを含む。
【００１９】
ＣＰＵ２６１は、操作ボード９０を介したユーザの操作入力に応じて、カラースキャナ２１０、ＡＤＦ２３０及びカラープリンタ１００を制御して、コントローラボード２７０の制御の下、原稿画像の読み取りのプロセス及び画像の印刷のプロセスを制御する。例えば、原稿画像の読み取りを指示する操作入力においては、原稿の読み取りモードとして、ＡＣＳ読み取りモード、カラー読み取りモード及びモノクロ読み取りモードのいずれかが指定され得る。ＡＣＳ読み取りモードとは、原稿画像がカラーかモノクロかを複合機ＭＦ１が判定するモードであり、カラー読み取りモードとは、原稿画像をカラーの画像として読み取るモードであり、モノクロ読み取りモードとは、原稿画像をモノクロの画像として読み取るモードである。そして、原稿の読み取りモードの指定に応じて、ＣＰＵ２６１は、後述するＣＣＤ２０７を含むカラースキャナ２１０及びＡＤＦ２３０に対する動作モードを選択して設定し、スキャナ画像処理部２６３に対するモードを選択して設定する。具体的には、原稿の読み取りモードとしてＡＣＳ読み取りモードが指定された場合、ＣＰＵ２６１は、原稿画像の読み取りモードをＡＣＳ読み取りモードに設定し、後述するＣＣＤ２０７を含むカラースキャナ２１０及びＡＤＦ２３０をカラー／モノクロ同時動作モードに設定し、後述するスキャナ画像処理部２６３をＡＣＳモードに設定する。また、原稿の読み取りモードとしてカラー読み取りモードが指定された場合、ＣＰＵ２６１は、原稿画像の読み取りモードをカラー読み取りモードに設定し、ＣＣＤ２０７を含むカラースキャナ２１０及びＡＤＦ２３０をカラー動作モードに設定し、スキャナ画像処理部２６３をカラーモードに設定する。また、原稿の読み取りモードとしてモノクロ読み取りモードが指定された場合又は原稿読み取りモードが指定されない場合、ＣＰＵ２６１は、原稿画像の読み取りモードをモノクロ読み取りモードに設定し、ＣＣＤ２０７を含むカラースキャナ２１０及びＡＤＦ２３０をカラー／モノクロ同時動作モードに設定し、スキャナ画像処理部２６３をモノクロモードに設定する。
【００２０】
画像入出力処理部２６２は、例えば、ＡＳＩＣ(Application Specific IC)で構成され、カラースキャナ２１０で読み取られた原稿画像の入力を制御したり、出力対象の画像をカラープリンタ１００への出力を制御したりする。
【００２１】
カラースキャナ２１０は、動力機器ドライバやセンサ入力およびコントローラを有する制御ボードを有して、センサボードユニット（ＳＢＵ）と、原稿検知センサ，ＨＰセンサ，圧板開閉センサ，基点センサなどの各種センサと，冷却ファンやパルスモータなどの動力機器と、スキャナモータドライバと、上述の読取ユニット２１１と、ＣＣＤ２０７と、ＡＦＥ(Analogue Front End)２１２とを有する。ＳＢＵは、ＣＰＵ（図４で説明するＣＰＵ２１３に相当），ＲＯＭ（Read Only Memory）及びＲＡＭ（Random Access Memory）を有し、コントローラボード２７０の有する後述のＣＰＵ２６１と通信線を介して接続されている。ＲＯＭは、スキャナモータドライバなどの各種プログラムや各種データを記憶している。ＣＰＵ２１３は、ＲＯＭに格納された各種プログラムをＲＡＭに書き込んで実行することで、カラースキャナ２１０の全体を制御するものであり、原稿検知センサ，ＨＰセンサ，圧板開閉センサ，基点センサ，冷却ファン等の検知及びＯＮ／ＯＦＦの制御をする。また、ＣＰＵ２１３は、ＣＰＵ２６１からコマンド受信したり、データの送受信を行ったりして、ＣＰＵ２６１の制御の下、処理を行う。また、スキャナモータドライバは、ＣＰＵ２１３からのＰＷＭ出力によりドライブされ励磁パルスシーケンスを発生させ原稿の走査駆動用のパルスモータを駆動する。
【００２２】
原稿画像は、ランプレギュレータによって通電される照明ランプ２３２の光量出力により照明されて、原稿の反射光すなわち光信号は、複数ミラー及びレンズを通りＲ，ＧおよびＢ読み取り用の３個のラインセンサを含むＣＣＤ２０７に結像される。ＣＣＤ２０７は、ユニットＳＢＵ上のＣＰＵによって、各駆動クロックを与えられて各ＲＧＢの各画素のアナログの読取信号である電圧信号をＡＦＥ２１２に出力する。ＡＦＥ２１２は、Ａ／Ｄ変換を行う機器であり、ＣＣＤ２０７から出力されたアナログの電圧信号をデジタルの画像信号に変換する。尚、ＣＣＤ２０７から出力されたアナログの読取信号である電圧信号をデジタルの画像信号と区別する必要がない場合には、画像信号と記載する場合がある。
【００２３】
コントローラボード２７０は、ＣＰＵ２７２と、画像蓄積制御部２７３と、ハードディスク装置（ＨＤＤ）２７１と、ローカルメモリ（ＭＥＭ−Ｃ）２７６と、システムメモリ（ＭＥＭ−Ｐ）２７９と、ノースブリッジ（ＮＢ）２７８と、サウスブリッジ（ＳＢ）２８５と、ＮＩＣ (Network Interface Card) ２８０と、ＵＳＢデバイス２８１と、ＩＥＥＥ１３９４デバイス２８２と、セントロニクスデバイス２８３と、ＭＬＢ２８４と、ＲＯＭ２８６とを含む。操作ボード９０は、コントローラボード２７０の画像蓄積制御部２７３に接続されている。画像蓄積制御部２７３には、ローカルメモリ２７６やＨＤＤ２７１が接続される。ＦＣＵ２８７も、画像蓄積制御部２７３にＰＣＩバスで接続されている。また、画像蓄積制御部２７３とＣＰＵ２７２とがＣＰＵチップセットのＮＢ２７８を介して接続されている。画像蓄積制御部２７３とＮＢ２７８とは、ＡＧＰ(Accelerated Graphics Port)を介して接続されている。ＮＢ２７８は、ＣＰＵ２７２、システムメモリ２７９、ＳＢ２８５および画像蓄積制御部２７３を接続するためのブリッジである。
【００２４】
ＣＰＵ２７２は、複合機ＭＦ１の全体制御を行うものであり、ＮＩＣ２８０を介してネットワークに接続されたＰＣと書画情報の送受信を行う。また、ＣＰＵ２７２は、ＵＳＢ２８１，ＩＥＥＥ１３９４デバイス２８２，セントロニクス２８３を介して図示しないパソコン，プリンタ，デジタルカメラ等と通信することができる。システムメモリ２７９は、複合機ＭＦ１の描画用メモリなどとして用いるメモリである。ＳＢ２８５は、ＮＢ２７８とＰＣＩバス、周辺デバイスとを接続するためのブリッジであり、周辺デバイスとして例えばＲＯＭ２８６が接続される。ＲＯＭ２８６は各種プログラムや各種データを記憶するメモリである。ローカルメモリ２７６はコピー用画像バッファ、符号バッファとして用いるメモリである。ＨＤＤ２７１は、画像データの蓄積，文書データの蓄積，プログラムの蓄積，フォントデータの蓄積，フォームの蓄積，ＬＵＴ(Look Up Table)の蓄積などを行うためのメモリである。また、操作ボード９０は、ユーザの操作が入力されるキーボードやマウス等の操作入力部と、情報の表示を行う表示部とを備える。
【００２５】
画像蓄積制御部２７３は、ＡＳＩＣで構成され、読み書き制御部と、回転器と、編集器とを有し、スキャナ画像処理部２６３から出力された画像データをローカルメモリ２７６やＨＤＤ２７１に記憶させる。ＳＢ２８５と、ＮＩＣ２８０と、ＵＳＢデバイス２８１と、ＩＥＥＥ１３９４デバイス２８２と、セントロニクスデバイス２８３と、ＭＬＢ２８４は、ＮＢ２７８にＰＣＩバスで接続されている。ＭＬＢ２８４は、エンジン２６０にＰＣＩバスを介して接続する基板である。そして、ＭＬＢ２８４は、外部から入力された書画データをイメージデータ（画像データ）に変換し、変換された画像データをエンジン２６０に出力する。
【００２６】
カラープリンタ１００は、印刷に用いる記録色であるＣ，Ｍ，Ｙ，Ｋの各書込みユニットを有する。画像入出力処理部２６２は、スキャナ画像処理部２６３と、プリンタ画像処理部２６４と、画像処理Ｉ／Ｆ(Interface circuit)２６５とを有する。スキャナ画像処理部２６３には、カラースキャナ２１０が原稿画像を読み取って発生するＲ，Ｇ，Ｂの各画像信号が入力され、スキャナ画像処理部２６３は、各画像信号のそれぞれに対してシェーディング補正，読取りγ補正，ＭＴＦ補正等の各種画像処理を行って、画像データを生成し、必要に応じて補正後のＲ，Ｇ，Ｂの各画像データをＣ，Ｍ，Ｙ，Ｋの各画像データに変換する。プリンタ画像処理部２６４は、Ｒ，Ｇ，Ｂの各画像データ又はＣ，Ｍ，Ｙ，Ｋの各画像データをカラープリンタ１００の有するＣ，Ｍ，Ｙ，Ｋの各書込みユニットの画像表現特性に合った印刷データに変換する。画像処理Ｉ／Ｆ２６５は、カラースキャナ２１０が原稿から読み取った画像を表すＲ，Ｇ，Ｂの各画像データ又は当該Ｒ，Ｇ，Ｂの各画像データから変換されたＣ,Ｍ，Ｙ，Ｋの各画像データを画像蓄積制御部２７３に出力したり、画像蓄積制御部２７３から出力されたＲ，Ｇ，Ｂの各画像データ又はＣ，Ｍ，Ｙ，Ｋの各画像データをプリンタ画像処理部２６４に出力したりする。
【００２７】
このような構成において、原稿１枚につき１枚の印刷を行う一枚コピーのときには、スキャナ画像処理部２６３からＣ，Ｍ，Ｙ，Ｋの各画像データが画像処理Ｉ／Ｆ２６５に出力され、これらの画像データが画像処理Ｉ／Ｆ２６５からプリンタ画像処理部２６４に出力され、プリンタ画像処理部２６４で必要に応じて変倍，画像加工が行われ、プリンタγ変換及び階調処理が行われて、Ｃ，Ｍ，Ｙ，Ｋの各書込みユニットに出力される。
【００２８】
原稿１枚につき複数枚の印刷を行う連続コピーのときには、スキャナ画像処理部２６３からＣ，Ｍ，Ｙ，Ｋの各画像データが画像処理Ｉ／Ｆ２６５に出力され、これらの画像データが画像処理Ｉ／Ｆ２６５から画像蓄積制御部２７３に出力されて、画像蓄積制御部２７３によってローカルメモリ２７６又はＨＤＤ２７１に一時的に記憶される。そして１枚のコピーの度に１枚に相当する画像データが画像蓄積制御部２７３によりローカルメモリ２７６又はＨＤＤ２７１から読み出されて画像処理Ｉ／Ｆ２６５を介してプリンタ画像処理部２６４に出力され、プリンタ画像処理部２６４によって、必要に応じて変倍や画像加工が行われ、そしてプリンタγ変換及び階調処理が行われて、各Ｃ，Ｍ，Ｙ，Ｋの各書込みユニットに出力される。
【００２９】
カラースキャナ２１０によって読み取られた原稿画像の蓄積又は原稿画像の外部装置であるＰＣへの送信のときには、スキャナ画像処理部２６３からＲ，Ｇ，Ｂの各画像データが出力され、画像処理Ｉ／Ｆ２６５及び画像蓄積制御部２７３を介してＨＤＤ２７１に記憶される又はスキャナ画像処理部２６３からＲ，Ｇ，Ｂの各画像データが出力され、画像処理Ｉ／Ｆ２６５及び画像蓄積制御部２７３を介してローカルメモリ２７６又はＨＤＤ２７１に一時的に記憶されてからＰＣに送信される。
【００３０】
蓄積されたＲ，Ｇ，Ｂの各画像データを用いた印刷又はＰＣから受信したＲ，Ｇ，Ｂの各画像データを用いた印刷のときには、画像蓄積制御部２７３及び画像処理Ｉ／Ｆ２６５を介してＲ，Ｇ，Ｂの各画像データがプリンタ画像処理部２６４に出力され、プリンタ画像処理部２６４によりＲ，Ｇ，Ｂの各画像データがＣ，Ｍ，Ｙ，Ｋの各画像データに変換されてから、必要に応じて変倍，画像加工が行われ、そしてプリンタγ変換及び階調処理が行われて、Ｃ，Ｍ，Ｙ，Ｋの各書込みユニットに出力される。
【００３１】
以上のような基本的な構成において、原稿画像の読み取り及び画像処理に関連する構成について図４を用いて詳細に説明する。ＣＰＵ２１３は、カラースキャナ２１０のＳＢＵの有するＣＰＵであり、ＣＣＤ２０７及びＡＦＥ２１２の各駆動クロックを生成する。詳細は後述するが、例えば、ＣＰＵ２１３は、各カラーラインセンサに対して蓄積時間を設定して当該蓄積時間を規定する信号を供給したり、後述の各スイッチを設定するための信号を供給したりする。カラースキャナ２１０の有するＣＣＤ２０７は、カラーでの読み取り及びモノクロでの読み取りが可能であり、Ｒの読取信号を出力するＲ(赤)ラインセンサ３０１と、Ｇの読取信号を出力するＧ(緑)ラインセンサ３０２と、Ｂの読取信号を出力するＢ(青)ラインセンサ３０３との３本のカラーラインセンサと、読取信号を出力するＢＷ(白黒)ラインセンサ３０４である１本のモノクロセンサとを備える。またＣＣＤ２０７は、カラーラインセンサから出力された読取信号及びモノクロラインセンサから出力された読取信号に基づいて画像信号をスキャナ画像処理部２６３に転送するための信号パスとして３つの出力端子３４１〜３４３を備える。出力端子の数は、カラーラインセンサの数と同数である。出力端子３４１〜３４３からは、ＣＣＤ２０７に設定された動作モードに応じて、モノクロラインセンサからの読取信号が変換された画像信号及びカラーラインセンサからの読取信号が変換された画像信号が選択されて出力端子３４１〜３４３から出力される。ＣＣＤ２０７の詳細な構成については後述する。ＣＣＤ２０７から出力された画像信号は、上述したように、ＡＦＥ２１２によりＡ／Ｄ変換されて、デジタルの画像信号となる。
【００３２】
スキャナ画像処理部２６３は、カラー／モノクロ分離部３６１と、モノクロ画像処理部３６２と、カラー画像処理部３６３と、ＡＣＳ判定部３６４とを備える。カラー／モノクロ分離部３６１は、３本の入力端子と４本の出力端子とを備え、ＣＣＤ２０７から出力されＡＦＥ２１２でＡ／Ｄ変換された画像信号が３本の入力端子を介して入力されると、当該画像をカラーの画像信号とモノクロの画像信号とに分離する。そして、カラー／モノクロ分離部３６１は、カラーの画像信号を３本の出力端子から出力し、モノクロの画像信号を１つの出力端子から出力する。尚、カラー／モノクロ分離部３６１は、画像信号を蓄積するためのメモリ（不図示）を有し、入力端子を介して入力された画像信号をメモリに適宜蓄積し、所定のタイミングの後、出力端子を介して当該画像信号を出力するタイミング制御を適宜行う。
【００３３】
モノクロ画像処理部３６２は、カラー／モノクロ分離部３６１から出力されたモノクロの画像信号に対して、シェーディング補正，読取りγ補正，ＭＴＦ補正、変倍処理等の各種画像処理を行い、画像データを生成してこれを出力する。カラー画像処理部３６３は、上述したＣＰＵ２６１によってカラーモードに設定された場合、カラー／モノクロ分離部３６１から出力されたカラーの画像信号に対して、シェーディング補正，読取りγ補正，ＭＴＦ補正、色補正、変倍処理等の各種画像処理を行い、画像データを生成してこれを出力する。一方、上述したＣＰＵ２６１によってモノクロモードに設定された場合、カラー画像処理部３６３は、カラー／モノクロ分離部３６１から出力されたカラーの画像信号に対して、画像処理を行わない。ＡＣＳ判定部３６４は、上述したＣＰＵ２６１によってＡＣＳモードに設定された場合、カラー／モノクロ分離部３６１から出力されたカラーの画像データを用いて、原稿画像がカラーであるかモノクロであるかを判定する。スキャナ画像処理部２６３から出力された画像データは、上述した画像蓄積制御部２７３によりローカルメモリ２７６に記憶される。
【００３４】
尚、当該画像データは画像蓄積制御部２７３によりローカルメモリ２７６から読み出され、画像処理Ｉ／Ｆ２６５を介してプリンタ画像処理部２６４に出力される。当該画像データについて、原稿画像がカラーであるとＡＣＳ判定部３６４が判定した場合には、プリンタ画像処理部２６４は、Ｃ，Ｍ，Ｙ，Ｋの各書込みユニットに対する印刷データに変換して出力する。そして、Ｃ，Ｍ，Ｙ，Ｋの各書込みユニットでそれぞれ書込みが行なわれて、カラーの画像が印刷される。一方、当該画像データについて、原稿画像がモノクロであるとＡＣＳ判定部３６４が判定した場合には、プリンタ画像処理部２６４は、Ｋの書込みユニットに対する印刷データに変換して出力する。そして、Ｋの書込みユニットで書込みが行なわれて、モノクロの画像が印刷される。
【００３５】
次に、動作モードに応じたＣＣＤ２０７の内部構成の概要について図５〜６を用いて詳細に説明する。動作モードには、上述したように、カラー動作モードと、カラー／モノクロ同時動作モードとがあり、ＣＰＵ２６１によって設定される。具体的には、上述したように、原稿画像の読み取りモードがＡＣＳ読み取りモードに設定された場合及び原稿画像の読み取りモードがモノクロ読み取りモードに設定された場合、ＣＣＤ２０７は、カラー／モノクロ同時動作モードに設定され、原稿画像の読み取りモードがカラー読み取りモードに設定された場合、ＣＣＤ２０７はカラー動作モードに設定される。ＣＣＤ２０７は、動作モードに応じて、内部の電気的な接続が切り替えられて動作する。図５は、カラー動作モードにおける構成を例示するものであり、図６は、カラー／モノクロ同時動作モードにおける構成を例示するものである。いずれの動作モードにおいても、ＣＣＤ２０７は、上述した４本のラインセンサ３０１〜３０４及び出力端子３４１〜３４３に加え、各ラインセンサに対応して各々シフトレジスタ３０６〜３１３を有し、更に、スイッチ３１６〜３１８と、出力アンプ３２１，３２３，３２５，３２７，３２８と、スイッチ３３１〜３３６とを有する。
【００３６】
シフトレジスタ３０６は、Ｒラインセンサ３０１の出力した読取信号である電荷信号（画像信号）のうち、奇数番目の画素（奇数画素）の電荷信号を転送し、シフトレジスタ３０７は、Ｒラインセンサ３０１の出力した読取信号である電荷信号のうち、偶数番目の画素（偶数画素）の電荷信号を転送する。シフトレジスタ３０８は、Ｇラインセンサ３０２の出力した読取信号である電荷信号のうち、奇数画素の電荷信号を転送し、シフトレジスタ３０９は、Ｇラインセンサ３０２の出力した電荷信号のうち、偶数画素の電荷信号を転送する。シフトレジスタ３１０は、Ｂラインセンサ３０３の出力した読取信号である電荷信号のうち、奇数画素の電荷信号を転送し、シフトレジスタ３１１は、Ｂラインセンサ３０３の出力した読取信号である電荷信号のうち、偶数画素の電荷信号を転送する。シフトレジスタ３１２は、ＢＷラインセンサ３０４の出力した読取信号である電荷信号のうち、奇数画素の電荷信号を転送し、シフトレジスタ３１３は、ＢＷラインセンサ３０４の出力した読取信号である電荷信号のうち、偶数画素の電荷信号を転送する。
【００３７】
スイッチ３１６は、シフトレジスタ３０７から転送された電荷信号を、動作モードに応じて、後段に転送するか否かを選択するためのスイッチである。スイッチ３１７は、シフトレジスタ３０９から転送された電荷信号を、動作モードに応じて、後段に転送するか否かを選択するためのスイッチである。スイッチ３１８は、シフトレジスタ３１１から転送された電荷信号を、動作モードに応じて、後段に転送するか否かを選択するためのスイッチである。
【００３８】
出力アンプ３２１は、シフトレジスタ３０６，３０７から転送された電荷信号を電圧信号に変換する。出力アンプ３２３は、シフトレジスタ３０８，３０９から転送された電荷信号を電圧信号に変換する。出力アンプ３２５は、シフトレジスタ３１０，３１１から転送された電荷信号を電圧信号に変換する。出力アンプ３２７は、シフトレジスタ３１２から転送された電荷信号を電圧信号に変換する。出力アンプ３２８は、シフトレジスタ３１３から転送された電荷信号を電圧信号に変換する。スイッチ３３１〜３３６は、動作モードに応じて、ＣＣＤ２０７から出力する電圧信号を選択する。選択された電圧信号は、出力端子３４１〜３４３から出力される。この出力端子３４１〜３４３により、合計で最大３本のラインセンサからの電圧信号（画像信号）が同時に出力され得る。
【００３９】
ここで、動作モードに応じた各スイッチ３１６〜３１８,３３１〜３３６の設定について説明する。図５に例示されるように、動作モードがカラー動作モードである場合、スイッチ３１６は、シフトレジスタ３０７から転送された電荷信号（Ｒラインセンサ３０１からの偶数画素の電荷信号）を後段に転送するよう設定され、スイッチ３１７は、シフトレジスタ３０９から転送された電荷信号（Ｇラインセンサ３０２からの偶数画素の電荷信号）を後段に転送するよう設定され、スイッチ３１８は、シフトレジスタ３１１（Ｂラインセンサ３０３からの偶数画素の電荷信号）から転送された電荷信号を後段に転送するよう設定される。スイッチ３３４は、Ｒラインセンサ３０１からの電圧信号を出力端子３４１から出力するよう設定される。スイッチ３３１，３３５は、Ｇラインセンサ３０２からの電圧信号を出力端子３４２から出力するよう設定される。スイッチ３３２，３３６は、Ｂラインセンサ３０３からの電圧信号を出力端子３４３から出力するよう設定される。これにより出力端子３４１〜３４３からはそれぞれ、Ｒラインセンサ３０１、Ｇラインセンサ３０２及びＢラインセンサ３０３の各画素に対応した電圧信号がライン毎に出力される。各カラーラインセンサでは奇数画素の電圧信号と偶数画素の電圧信号とは、１画素ずつ交互に出力される。即ち、動作モードがカラー動作モードである場合、ＣＣＤ２０７からは、各カラーラインセンサの第１の主走査解像度の画像信号が、カラーラインセンサと同数の出力端子からそれぞれ出力される。
【００４０】
一方、図６に例示されるように、動作モードがカラー／モノクロ同時動作モードである場合、スイッチ３１６は、シフトレジスタ３０７から転送された電荷信号を後段に転送しないよう設定され、スイッチ３１７は、シフトレジスタ３０９から転送された電荷信号を後段に転送しないよう設定され、スイッチ３１８は、シフトレジスタ３１１から転送された電荷信号を後段に転送しないよう設定される。スイッチ３３５は、シフトレジスタ３１２からの電圧信号（ＢＷラインセンサ３０４からの奇数画素の電荷信号が変換された電圧信号）を出力端子３４２から出力するよう設定される。スイッチ３３６は、シフトレジスタ３１３からの電圧信号（ＢＷラインセンサ３０４からの偶数画素の電荷信号が変換された電圧信号）を出力端子３４３から出力するよう設定される。スイッチ３３１は、シフトレジスタ３０８からの電圧信号（Ｇラインセンサ３０２からの奇数画素の電荷信号が変換された電圧信号）をスイッチ３３３に転送するよう設定される。スイッチ３３２は、シフトレジスタ３１０からの電圧信号（Ｂラインセンサ３０３からの奇数画素の電荷信号が変換された電圧信号）をスイッチ３３３に転送するよう設定される。スイッチ３３３,３３４は、シフトレジスタ３０６からの電圧信号（Ｒラインセンサ３０１からの奇数画素の電荷信号が変換された電圧信号）、シフトレジスタ３０８からの電圧信号及びシフトレジスタ３１０からの電圧信号が出力端子３４１から交互に出力されるようライン順次で設定が切り替えられる。その詳細については後述する。これにより出力端子３４２〜３４３からはそれぞれ、ＢＷラインセンサ３０４の奇数画素の電圧信号及び偶数画素の電圧信号が出力される。また出力端子３４１からは、シフトレジスタ３０６，３０８，３１０のいずれか１つからの電圧信号が１ライン毎に順次出力される、即ち、Ｒラインセンサ３０１からの奇数画素の電圧信号、Ｇラインセンサ３０２からの奇数画素の電圧信号及びＢラインセンサ３０３からの奇数画素の電圧信号のいずれか１つが１ライン毎に順次出力される。即ち、動作モードがカラー／モノクロ同時動作モードである場合、ＣＣＤ２０７からは、複数の出力端子のうち２つの出力端子が使用されてモノクロラインセンサの第１の主走査解像度の画像信号が出力されると共に、モノクロラインセンサの画像信号の出力に使用されない出力端子が使用されて、各カラーラインセンサの第２の主走査解像度の画像信号がそれぞれ出力される。
【００４１】
次に、カラー／モノクロ同時動作モードにおいてＣＣＤ２０７へ入力される信号及びＣＣＤ２０７から出力する信号について図７を用いて説明する。ＣＣＤ２０７へは、各ラインセンサの蓄積時間を規定するLSYNC_BW、LSYNC_Cと、SW333、SW334との各信号がＣＰＵ２１３から入力される。LSYNC_BWは、ＢＷラインセンサ３０４に対する信号であり、LSYNC_Cは、Ｒラインセンサ３０１，Ｇラインセンサ３０２，Ｂラインセンサ３０３に対する信号である。これらの信号の設定及び信号の供給は、上述した図４に例示されるＣＰＵ２１３が行う。カラー／モノクロ同時動作モードにおいては、LSYNC_Cの周期はLSYNC_BWの3倍に設定される。SW333は、動作モードに応じて、スイッチ３３３を設定する信号であり、SW334は、動作モードに応じて、スイッチ３３４を設定する信号である。SW334は”H”である場合、Ｒラインセンサ３０１からの電圧信号が出力端子３４１から出力されるようスイッチ３３４が設定される。SW333が”H”であり且つSW334が”L”である場合は、Ｇラインセンサ３０２からの電圧信号が出力端子３４１から出力されるようスイッチ３３３,３３４が設定される。SW333が”L”であり且つSW334が”L” である場合は、Ｂラインセンサ３０３からの電圧信号が出力端子３４１から出力されるようスイッチ３３３,３３４が設定される。このように、図６を用いて説明したように設定される。そこで説明したように、その他のスイッチに対しても設定が行われるため、その他のスイッチに対する信号については、その説明を省略する。また図示しないが、その他にも画素クロック、リセット信号、クランプ信号などの各種信号がＣＣＤ２０７に入力される。一方、ＣＣＤ２０７からは、出力端子３４１〜３４３に対応するOS1〜OS3の各信号が出力される。カラー／モノクロ同時動作モードにおいては、OS1は、Ｒラインセンサ３０１，Ｇラインセンサ３０２，Ｂラインセンサ３０３のいずれか１つからの奇数画素の電圧信号がライン順次で出力端子３４１から出力される信号である。また、OS2は、ＢＷラインセンサ３０４からの奇数画素の電圧信号が出力端子３４２から出力される信号である。また、OS3は、ＢＷラインセンサ３０４からの偶数画素の電圧信号が出力端子３４３からライン毎に出力される信号である。
【００４２】
次に、カラー動作モードにおいてＣＣＤ２０７へ入力される信号及びＣＣＤ２０７から出力する信号について図８を用いて説明する。カラー動作モードにおいては、LSYNC_Cの周期はLSYNC_BWの2倍に設定される。但し、カラー動作モードでは、ＢＷラインセンサ３０４からの電圧信号はＣＣＤ２０７から出力されない。カラー動作モードでは、SW334は”H”であり、図５の説明の通り、Ｒラインセンサ３０１からの電圧信号が出力端子３４１から出力されるようスイッチ３３３が設定される。そこで説明したように、その他のスイッチに対しても設定が行われるため、その他のスイッチに対する信号については、その説明を省略する。また、カラー動作モードにおいては、OS1は、Ｒラインセンサ３０１からの電圧信号が出力端子３４１からライン毎に出力される信号である。また、OS2は、Ｇラインセンサ３０２からの電圧信号が出力端子３４２からライン毎に出力される信号である。また、OS3は、Ｂラインセンサ３０３からの電圧信号が出力端子３４３からライン毎に出力される信号である。
【００４３】
尚、図７と図８とを比較して分かる通り、カラー／モノクロ同時動作モードでは原稿画像１ラインあたりの読取時間がカラー動作モードでの読取時間の１／２になる。つまり、カラー動作モードに対して、カラー／モノクロ同時動作モードでは１／２の時間で原稿画像を読み取ることができる。
【００４４】
次に、本実施の形態にかかる複合機ＭＦ１の行う処理の手順について説明する。まず、複合機ＭＦ１が原稿画像を読み取る処理の概略について図９を用いて説明する。複合機ＭＦ１のＣＰＵ２６１は、原稿がＡＤＦ２３０の原稿トレイ２４１又はコンタクトガラス２３１上に載置されて、操作ボード９０を介して、原稿画像の読み取りを指示する操作入力を受け付けると、当該操作入力によって原稿画像の読み取りモードがＡＣＳ読み取りモードに指定されたか否かを判定する（ステップＳ１）。当該判定結果が肯定的である場合、ＣＰＵ２６１は、原稿画像の読み取りモードをＡＣＳ読み取りモードに設定し（ステップＳ５）、当該判定結果が否定的である場合（ステップＳ１：ＮＯ）、原稿画像の読み取りモードがカラー読み取りモードに指定されたか否かを判定する（ステップＳ２）。当該判定結果が肯定的である場合（ステップＳ２：ＹＥＳ）、ＣＰＵ２６１は、原稿画像の読み取りモードをカラー読み取りモードに設定し（ステップＳ３）、当該判定結果が否定的である場合（ステップＳ２：ＮＯ）、原稿画像の読み取りモードをモノクロ読み取りモードに設定する（ステップＳ４）。原稿画像を読み取る対象の原稿が複数頁ある場合には（ステップＳ６：ＮＯ）、原稿が最終頁になるまで（ステップＳ６：ＹＥＳ）、ＣＰＵ２６１は、頁毎にステップＳ１〜Ｓ５の処理を繰り返す。
【００４５】
次に、ステップＳ１で原稿画像の読み取りモードをＡＣＳ読み取りモードに設定した場合に原稿画像を読み取る処理の手順について図１０を用いて説明する。ＣＰＵ２６１は、ＣＣＤ２０７を含むカラースキャナ２１０及びＡＤＦ２３０をカラー／モノクロ同時動作モードに設定する（ステップＳ１０）。また、ＣＰＵ２６１は、スキャナ画像処理部２６３をＡＣＳモードに設定する（ステップＳ１１）。そして、ＣＰＵ２６１は、ＡＤＦ２３０を適宜制御し、カラースキャナ２１０を制御して、原稿画像の読み取りを開始させる（ステップＳ１２）。原稿画像が読み取られると、ＣＣＤ２０７の出力端子３４２からは、ＢＷラインセンサ３０４の奇数画素の読取信号である電圧信号がライン毎に出力され、出力端子３４３からは、ＢＷラインセンサ３０４の偶数画素の読取信号である電圧信号がライン毎に出力される。また出力端子３４１からは、Ｒラインセンサ３０１，Ｇラインセンサ３０２及びＢラインセンサ３０３のいずれか１つの奇数画素の読取信号である電圧信号が１ライン毎に順次出力される。それぞれの電圧信号は、ＡＦＥ２１２でデジタルの画像信号に変換された後、スキャナ画像処理部２６３で各種画像処理が行われる。具体的には、カラー／モノクロ分離部３６１が、ＣＣＤ２０７から出力されＡＦＥ２１２でＡ／Ｄ変換された画像信号を、カラーの画像信号(Ｒラインセンサ３０１，Ｇラインセンサ３０２及びＢラインセンサ３０３のそれぞれの奇数画素の電圧信号から変換された画像信号)とモノクロの画像信号(ＢＷラインセンサ３０４の奇数画素の電圧信号から変換された画像信号及び偶数画素の電圧信号から変換された画像信号)とに分離して出力する。出力されたモノクロの画像信号に対してモノクロ画像処理部３６２が各種画像処理を行って、モノクロの画像データを生成してこれを出力し、カラーの画像信号に対してカラー画像処理部３６３が各種画像処理を行って、カラーの画像データを生成してこれを出力する。そして、画像蓄積制御部２７３は、スキャナ画像処理部２６３が出力したモノクロの画像データ及びカラー画像データをローカルメモリ２７６に記憶させる（ステップＳ１３）。
【００４６】
次いで、ＡＣＳ判定部３６４が、カラーの画像信号を用いて、原稿画像がカラーかモノクロかを判定する（ステップＳ１４）。そしてＣＰＵ２６１は、この判定結果により、原稿画像がカラーかモノクロかを確認する。原稿画像がカラーであると判定された場合（ステップＳ１４：ＹＥＳ）、画像蓄積制御部２７３は、ローカルメモリ２７６に記憶された当該原稿画像のカラーの画像データ及びモノクロの画像データのうち、モノクロの画像データをローカルメモリ２７６から削除する（ステップＳ１５）。即ち、原稿画像がカラーであると判定された場合には、カラーの画像データのみがローカルメモリ２７６に記憶されることになる。これにより必要な画像データのみが保存されることになる。一方、原稿画像がモノクロであると判定された場合（ステップＳ１４：ＮＯ）、画像蓄積制御部２７３は、ローカルメモリ２７６に記憶された当該原稿のカラーの画像データ及びモノクロ画像データのうち、カラー画像データをローカルメモリ２７６から削除する（ステップＳ１６）。即ち、原稿画像がモノクロであると判定された場合、モノクロ画像データのみがローカルメモリ２７６に記憶されることになる。このように、原稿画像がカラーかモノクロかの判定に応じて、カラーの画像データ又はモノクロの画像データのみが記憶されることで、必要な画像データのみを保存させることができる。
【００４７】
ここで、ＡＣＳ読み取りモードにおける各ラインセンサによる原稿画像の読み取り解像度について図１１を用いて説明する。同図における（ａ）では、ＣＣＤ２０７の出力端子３４２からライン毎に出力されるＢＷラインセンサ３０４の奇数画素の電圧信号及び出力端子３４３からライン毎に出力されるＢＷラインセンサ３０４の偶数画素の電圧信号が模式的に示されている。同図における（ｂ）では、ＣＣＤ２０７の出力端子３４１から１ライン毎に順次出力されるＲラインセンサ３０１，Ｇラインセンサ３０２，Ｂラインセンサ３０３のうち、Ｒラインセンサ３０１の奇数画素の電圧信号が模式的に示されている。同図における（ｃ）では、ＣＣＤ２０７の出力端子３４１から１ライン毎に順次出力されるＲラインセンサ３０１，Ｇラインセンサ３０２，Ｂラインセンサ３０３のうち、Ｇラインセンサ３０２の奇数画素の電圧信号が模式的に示されている。同図における（ｄ）では、ＣＣＤ２０７の出力端子３４１から１ライン毎に順次出力されるＲラインセンサ３０１，Ｇラインセンサ３０２，Ｂラインセンサ３０３のうち、Ｂラインセンサ３０３の奇数画素の電圧信号が模式的に示されている。また、ＣＣＤ２０７の１ラインの周期を規定するLSYNC_BW、LSYNC_Cについて、カラーラインセンサであるＲラインセンサ３０１，Ｇラインセンサ３０２，Ｂラインセンサ３０３に対する信号であるLSYNC_Cの周期は、モノクロラインセンサであるＢＷラインセンサ３０４に対する信号であるLSYNC_BWの周期の3倍である。このため、モノクロラインセンサと、カラーラインセンサとでは原稿画像の読み取り解像度が異なる。
【００４８】
モノクロラインセンサによる読み取り解像度を基準にすると、カラーラインセンサによる読み取り解像度は以下のようになる。主走査については、ＣＣＤ２０７からは奇数画素の電圧信号のみ出力されるため、カラーラインセンサの読み取り解像度は、モノクロラインセンサの読み取り解像度の1/2になる。また副走査については、カラーラインセンサに対するLSYNC_Cの周期はモノクロラインセンサに対するLSYNC_BWの周期の3倍であるため、カラーラインセンサの読み取り解像度は、モノクロラインセンサの読み取り解像度の1/3になる。例えばＡＣＳ読み取りモードにおけるモノクロラインセンサの読み取り解像度が主走査600dpi、副走査600dpiの場合、カラーラインセンサの読み取り解像度は主走査300dpi、副走査200dpiとなる。尚、例えば、操作ボート９０を介したユーザから操作入力により変倍率が指定されるなどして、原稿画像の読み取り解像度が、出力対象の画像として必要な解像度と異なる場合は、カラーの画像信号に対してはカラー画像処理部３６３が変倍処理を行って解像度を変換し、モノクロの画像信号に対してはモノクロ画像処理部３６２が変倍処理を行って解像度を変換する。
【００４９】
次に、ステップＳ２で原稿画像の読み取りモードをカラー読み取りモードに設定した場合に原稿画像を読み取る処理の手順について図１２を用いて説明する。ＣＰＵ２６１は、ＣＣＤ２０７を含むカラースキャナ２１０及びＡＤＦ２３０をカラー動作モードに設定する（ステップＳ２０）。また、ＣＰＵ２６１は、スキャナ画像処理部２６３をカラーモードに設定する（ステップＳ２１）。そして、ＣＰＵ２６１は、ＡＤＦ２３０を適宜制御し、カラースキャナ２１０を制御して、原稿画像の読み取りを開始させる（ステップＳ２２）。原稿画像が読み取られると、ＣＣＤ２０７の出力端子３４１〜３４３からはそれぞれ、Ｒラインセンサ３０１、Ｇラインセンサ３０２及びＢラインセンサ３０３の各画素に対応した電圧信号がライン毎に出力される。それぞれの電圧信号は、ＡＦＥ２１２でデジタルの画像信号に変換された後、スキャナ画像処理部２６３で各種画像処理が行われる。具体的には、カラー画像処理部３６３が、ＣＣＤ２０７から出力されＡＦＥ２１２でＡ／Ｄ変換された画像信号に対して各種画像処理を行って、カラーの画像データを生成してこれを出力する。そして、画像蓄積制御部２７３は、スキャナ画像処理部２６３が出力したカラー画像データをローカルメモリ２７６に記憶させる（ステップＳ２３）。
【００５０】
次に、ステップＳ２で原稿画像の読み取りモードをモノクロ読み取りモードに設定した場合に原稿画像を読み取る処理の手順について図１３を用いて説明する。ＣＰＵ２６１は、ＣＣＤ２０７を含むカラースキャナ２１０及びＡＤＦ２３０をカラー／モノクロ同時動作モードに設定する（ステップＳ３０）。また、ＣＰＵ２６１は、スキャナ画像処理部２６３をモノクロモードに設定する（ステップＳ３１）。そして、ＣＰＵ２６１は、ＡＤＦ２３０を適宜制御し、カラースキャナ２１０を制御して、原稿画像の読み取りを開始させる（ステップＳ３２）。原稿画像が読み取られると、ＣＣＤ２０７の出力端子３４２からは、ＢＷラインセンサ３０４の奇数画素の読取信号である電圧信号がライン毎に出力され、出力端子３４３からは、ＢＷラインセンサ３０４の偶数画素の読取信号である電圧信号がライン毎に出力される。また出力端子３４１からは、Ｒラインセンサ３０１，Ｇラインセンサ３０２及びＢラインセンサ３０３のいずれか１つの奇数画素の読取信号である電圧信号が１ライン毎に順次出力される。それぞれの電圧信号は、ＡＦＥ２１２でデジタルの画像信号に変換された後、スキャナ画像処理部２６３で各種画像処理が行われる。具体的には、カラー／モノクロ分離部３６１が、ＣＣＤ２０７から出力されＡＦＥ２１２でＡ／Ｄ変換されたデジタルの画像信号を、カラーの画像信号(Ｒラインセンサ３０１，Ｇラインセンサ３０２及びＢラインセンサ３０３のそれぞれの奇数画素の電圧信号から変換された画像信号)とモノクロの画像信号(ＢＷラインセンサ３０４の奇数画素の電圧信号から変換された画像信号及び偶数画素の電圧信号から変換された画像信号)とに分離して出力する。出力されたモノクロの画像信号に対してモノクロ画像処理部３６２が各種画像処理を行って、モノクロの画像データを生成してこれを出力する。そして、ここでは、カラーの画像信号に対してカラー画像処理部３６３は各種画像処理を行わない。そして、画像蓄積制御部２７３は、スキャナ画像処理部２６３が出力したモノクロの画像データをローカルメモリ２７６に記憶させる（ステップＳ３３）。
【００５１】
以上のように、モノクロラインセンサで読み取った画像の電圧信号とカラーラインセンサで読み取った画像の電圧信号とを選択して出力するイメージセンサであるＣＣＤ２０７において、出力端子数はカラーラインセンサの数と同数であり、かつカラーラインセンサは読取解像度の切り替えが可能であり、かつモノクロラインセンサは読取信号を複数の出力端子から同時に出力可能に構成する。そして、原稿画像をカラーで読み取る場合は、ＣＣＤ２０７において、それぞれの出力端子から各カラーラインセンサの高解像度の電圧信号を出力し、原稿画像をカラー／モノクロ同時に読み取る場合は、２つの出力端子からモノクロラインセンサの電圧信号を出力すると共に、残りの出力端子から各カラーラインセンサの低解像度の電圧信号を順次出力するよう構成する。このような構成によれば、イメージセンサの出力端子を増やすことなく、カラーの画像信号とモノクロの画像信号とを同時に高速で取得し、画像データを生成することができる。
【００５２】
[第２の実施の形態]
次に、画像読取装置の第２の実施の形態について説明する。なお、上述の第１の実施の形態と共通する部分については、同一の符号を使用して説明したり、説明を省略したりする。
【００５３】
第１の実施の形態においては、原稿画像の読取モードとして、ＡＣＳ読み取りモードを取り扱ったが、本実施の形態においては、ＡＣＳ読み取りモードとして、ＡＣＳ読み取りモード１とＡＣＳ読み取りモード２との２つのモードを取り扱う。例えば、原稿画像の読み取りを指示する操作入力において、原稿の読み取りモードとしてＡＣＳ読み取りモード１が指定された場合、ＣＰＵ２６１は、原稿画像の読み取りモードをＡＣＳ読み取りモード１に設定し、ＣＣＤ２０７を含むカラースキャナ２１０及びＡＤＦ２３０をカラー／モノクロ同時動作モード１に設定し、スキャナ画像処理部２６３をＡＣＳモード１に設定する。ＡＣＳ読み取りモード１は、第１の実施の形態のＡＣＳ読取モードと同様であり、カラー／モノクロ同時動作モード１は、第１の実施の形態のカラー／モノクロ同時動作モードと同様であり、ＡＣＳモード１は、第１の実施の形態のＡＣＳモードと同様ある。また、原稿の読み取りモードとしてＡＣＳ読み取りモード２が指定された場合、ＣＰＵ２６１は、原稿画像の読み取りモードをＡＣＳ読み取りモード２に設定し、ＣＣＤ２０７を含むカラースキャナ２１０及びＡＤＦ２３０をカラー／モノクロ同時動作モード２に設定し、スキャナ画像処理部２６３をＡＣＳモード２に設定する。
【００５４】
次に、カラー／モノクロ同時動作モード２に設定されたＣＣＤ２０７の構成について図１４を用いて説明する。同図に示されるように、スイッチ３１６は、シフトレジスタ３０７から転送された電荷信号を後段に転送しないよう設定され、スイッチ３１７は、シフトレジスタ３０９から転送された電荷信号を後段に転送しないよう設定され、スイッチ３１８は、シフトレジスタ３１１から転送された電荷信号を後段に転送しないよう設定される。スイッチ３３６は、シフトレジスタ３１３からの電圧信号（ＢＷラインセンサ３０４からの偶数画素の電荷信号が変換された電圧信号）を出力端子３４３から出力するよう設定される。スイッチ３３１，３３５は、シフトレジスタ３０８からの電圧信号（Ｇラインセンサ３０２からの奇数画素の電荷信号が変換された電圧信号）を出力端子３４２から出力するよう設定される。スイッチ３３２，３３３は、シフトレジスタ３１０からの電圧信号（Ｂラインセンサ３０３からの奇数画素の電荷信号が変換された電圧信号）をスイッチ３３４に転送するよう設定される。スイッチ３３４は、シフトレジスタ３０６からの電圧信号（Ｒラインセンサ３０１からの奇数画素の電荷信号が変換された電圧信号）及びシフトレジスタ３１０からの電圧信号が出力端子３４１から交互に出力されるようライン順次で設定が切り替えられる。その詳細については後述する。これにより出力端子３４３からは、ＢＷラインセンサ３０４の偶数画素の電圧信号が出力される。また出力端子３４２からは、Ｇラインセンサ３０２からの奇数画素の電圧信号が１ラインおきに出力される。また出力端子３４１からは、Ｒラインセンサ３０１からの奇数画素の電圧信号又はＢラインセンサ３０３からの奇数画素の電圧信号がライン毎に順次出力される。即ち、動作モードがカラー／モノクロ同時動作モード２である場合、ＣＣＤ２０７からは、複数の出力端子のうち１つの出力端子が使用されてモノクロラインセンサの第２の主走査解像度の画像信号が出力されると共に、モノクロラインセンサの画像信号の出力に使用されない出力端子が使用されて、Ｇラインセンサ３０２からの第２の主走査解像度の画像信号が出力され、モノクロラインセンサの画像信号の出力及びＧラインセンサ３０２からの画像信号の出力に使用されない出力端子が使用されて、Ｒラインセンサ３０１，Ｂラインセンサ３０３からの第２の主走査解像度の画像信号が順次出力される。
【００５５】
次に、カラー／モノクロ同時動作モード２においてＣＣＤ２０７へ入力される信号及びＣＣＤ２０７から出力する信号について図１５を用いて説明する。各信号LSYNC_BW、LSYNC_C、SW334の定義は上述の第１の実施の形態と同様である。カラー／モノクロ同時動作モード２においては、LSYNC_Cの周期はLSYNC_BWの2倍に設定される。SW334は、上述の第１の実施の形態と同様に、動作モードに応じて、スイッチ３３４を設定する信号である。そして、SW334が”H”である場合、Ｒラインセンサ３０１からの電圧信号が出力端子３４１から出力されるようスイッチ３３４が設定され、SW334が”L”である場合、Ｂラインセンサ３０３からの電圧信号が出力端子３４１から出力されるようスイッチ３３４が設定される。その他のスイッチに対する信号についても、図１４の構成に基づいているため、その説明を省略する。また、カラー／モノクロ同時動作モード２においては、OS1は、Ｒラインセンサ３０１からの電圧信号又はＢラインセンサ３０２からの電圧信号が出力端子３４１から１ライン毎に順次出力される信号である。また、OS2は、Ｇラインセンサ３０２からの奇数画素の電圧信号が出力端子３４２から１ラインおきに出力される信号である。また、OS3は、ＢＷラインセンサ３０４からの偶数画素の電圧信号が出力端子３４３からライン毎に出力される信号である。
【００５６】
次に、本実施の形態にかかる複合機ＭＦ１の行う処理の手順について説明する。まず、複合機ＭＦ１が原稿画像を読み取る処理の概略について図１６を用いて説明する。複合機ＭＦ１のＣＰＵ２６１は、操作ボード９０を介して、原稿画像の読み取りを指示する操作入力を受け付けると、当該操作入力によって原稿画像の読み取りモードがＡＣＳ読み取りモードに指定されたか否かを判定する（ステップＳ１）。当該判定結果が肯定的である場合（ステップＳ１：ＹＥＳ）、ＣＰＵ２６１は、指定されたＡＣＳ読み取りモードがＡＣＳ読み取りモード１であるか否かを判定する（ステップＳ４０）。当該判定結果が肯定的である場合（ステップＳ４０：ＹＥＳ）、ＣＰＵ２６１は、原稿画像の読み取りモードをＡＣＳ読み取りモード１に設定して（ステップＳ４１）、ステップＳ６に進み、当該判定結果が否定的である場合（ステップＳ４０：ＮＯ）、原稿画像の読み取りモードをＡＣＳ読み取りモード２に設定して（ステップＳ４２）、ステップＳ６に進む。一方、ステップＳ１の判定結果が否定的である場合（ステップＳ１：ＮＯ）、ステップＳ２に進む。ステップＳ２〜Ｓ４，Ｓ６は上述の第１の実施の形態と同様である。
【００５７】
次に、ステップＳ４０で原稿画像の読み取りモードをＡＣＳ読み取りモード２に設定した場合に原稿画像を読み取る処理の手順について図１７を用いて説明する。ＣＰＵ２６１は、ＣＣＤ２０７を含むカラースキャナ２１０及びＡＤＦ２３０をカラー／モノクロ同時動作モード２に設定する（ステップＳ５０）。また、ＣＰＵ２６１は、スキャナ画像処理部２６３をＡＣＳモード２に設定する（ステップＳ５１）。そして、ＣＰＵ２６１は、ＡＤＦ２３０を適宜制御し、カラースキャナ２１０を制御して、原稿画像の読み取りを開始させる（ステップＳ５２）。原稿画像が読み取られると、ＣＣＤ２０７の出力端子３４３からは、ＢＷラインセンサ３０４の偶数画素の読取信号である電圧信号が出力され、出力端子３４２からは、Ｇラインセンサ３０２の奇数画素の読取信号である電圧信号が１ラインおきに出力される。また出力端子３４１からは、Ｒラインセンサ３０１の奇数画素の読取信号である電圧信号又はＢラインセンサ３０３の奇数画素の読取信号である電圧信号がライン毎に順次出力される。それぞれの電圧信号は、ＡＦＥ２１２でデジタルの画像信号に変換された後、スキャナ画像処理部２６３で各種画像処理が行われる。具体的には、カラー／モノクロ分離部３６１が、ＣＣＤ２０７から出力されＡＦＥ２１２でＡ／Ｄ変換されたデジタルの画像信号を、カラーの画像信号(Ｒラインセンサ３０１，Ｇラインセンサ３０２及びＢラインセンサ３０３のそれぞれの奇数画素の電圧信号から変換された画像信号)とモノクロの画像信号(ＢＷラインセンサ３０４の偶数画素の電圧信号から変換された画像信号)とに分離して出力する。出力されたモノクロの画像信号に対してモノクロ画像処理部３６２が各種画像処理を行って、モノクロの画像データを生成してこれを出力し、カラーの画像信号に対してカラー画像処理部３６３が各種画像処理を行って、カラーの画像データを生成してこれを出力する。そして、ステップＳ１３では、第１の実施の形態と同様にして、画像蓄積制御部２７３は、スキャナ画像処理部２６３が出力したモノクロの画像データ及びカラー画像データをローカルメモリ２７６に記憶させる。ステップＳ１４〜Ｓ１６も第１の実施の形態と同様である。
【００５８】
ここで、ＡＣＳ読み取りモード２における各ラインセンサによる原稿画像の読み取り解像度について図１８を用いて説明する。同図における（ａ）では、ＣＣＤ２０７の出力端子３４３から出力されるＢＷラインセンサ３０４の偶数画素の電圧信号が模式的に示されている。同図における（ｂ）では、ＣＣＤ２０７の出力端子３４１から１ライン毎に順次出力されるＲラインセンサ３０１，Ｂラインセンサ３０３のうち、Ｒラインセンサ３０１の奇数画素の電圧信号が模式的に示されている。同図における（ｃ）では、ＣＣＤ２０７の出力端子３４２から１ラインおきに出力されるＧラインセンサ３０２の奇数画素の電圧信号が模式的に示されている。同図における（ｄ）では、ＣＣＤ２０７の出力端子３４１から１ライン毎に順次出力されるＲラインセンサ３０１，Ｂラインセンサ３０３のうち、Ｂラインセンサ３０３の奇数画素の電圧信号が模式的に示されている。また、ＣＣＤ２０７の１ラインの周期を規定するLSYNC_BW、LSYNC_Cについて、カラーラインセンサであるＲラインセンサ３０１，Ｇラインセンサ３０２，Ｂラインセンサ３０３に対する信号であるLSYNC_Cの周期は、モノクロラインセンサであるＢＷラインセンサ３０４に対する信号であるLSYNC_BWの周期の2倍である。このため、モノクロラインセンサと、カラーラインセンサとでは原稿画像の読み取り解像度が異なる。
【００５９】
モノクロラインセンサによる読み取り解像度を基準にすると、カラーラインセンサによる読み取り解像度は以下のようになる。主走査については、ＣＣＤ２０７からは奇数画素の電圧信号のみ出力される。しかし、モノクロラインセンサについても偶数画素の電圧信号のみ出力される。このため、主走査については、カラーラインセンサの読み取り解像度は、モノクロラインセンサの読み取り解像度と同じである。また副走査については、カラーラインセンサに対するLSYNC_Cの周期はモノクロラインセンサに対するLSYNC_BWの周期の2倍であるため、カラーラインセンサの読み取り解像度は、モノクロラインセンサの読み取り解像度の1/2になる。例えばＡＣＳ読み取りモード２におけるモノクロラインセンサの読み取り解像度が主走査300dpi、副走査600dpiの場合、カラーラインセンサの読み取り解像度は主走査300dpi、副走査300dpiとなる。尚、例えば、操作ボート９０を介したユーザから操作入力により変倍率が指定されるなどして、原稿画像の読み取り解像度が、出力対象の画像として必要な解像度と異なる場合は、カラーの画像信号に対してはカラー画像処理部３６３が変倍処理を行って解像度を変換し、モノクロの画像信号に対してはモノクロ画像処理部３６２が変倍処理を行って解像度を変換する。
【００６０】
以上のような構成によっても、イメージセンサの出力端子を増やすことなく、カラーの画像信号とモノクロの画像信号とを同時に高速で取得し、画像データを生成することができる。
【００６１】
以上、第２の実施の形態について説明したが、当該実施の形態に多様な変更または改良を加えることができる。
【００６２】
上述した第２の実施の形態においては、カラー／モノクロ同時動作モード２では、３本のカラーラインセンサの蓄積時間は全て同じにしたが、これをカラーラインセンサに応じて異ならせるようにしても良い。例えば、図１９に例示されるように、LSYNC_Gは、Ｇラインセンサ３０２に対して蓄積時間を規定する信号であり、LSYNC_Cは、Ｒラインセンサ３０１，Ｂラインセンサ３０３に対して蓄積時間を規定する信号であるとする。LSYNC_BWは、上述の第１の実施の形態又は第２の実施の形態と同様にＢＷラインセンサ３０４に対して蓄積時間を規定する信号である。そして、カラー／モノクロ同時動作モード２では、例えば、LSYNC_Gの周期をLSYNC_BWと同じに設定し、LSYNC_Cの周期をLSYNC_BWの2倍に設定する。なお他の動作モードでは、LSYNC_Gの周期はLSYNC_Cと同じに設定する。SW334は、上述の第１の実施の形態又は第２の実施の形態と同様に、動作モードに応じて、スイッチ３３４を設定する信号である。SW334が”H”である場合はＲラインセンサ３０１の電圧信号が出力端子３４１から出力されるようにスイッチ３３４が設定され、SW334が”L”である場合はＢラインセンサ３０３の電圧信号が出力端子３４１から出力されるようにスイッチ３３４が設定される。その他のスイッチに対する信号についても、図１４の構成に基づいているため、その説明を省略する。また、カラー／モノクロ同時動作モード２においてＣＣＤ２０７から出力される信号OS1〜OS3は、上述の第２の実施の形態と同様である。
【００６３】
このような構成において、ＡＣＳ読み取りモード２における各ラインセンサによる原稿画像の読み取り解像度について図２０を用いて説明する。同図における（ａ）では、ＣＣＤ２０７の出力端子３４３から出力されるＢＷラインセンサ３０４の偶数画素の電圧信号が模式的に示されている。同図における（ｂ）では、ＣＣＤ２０７の出力端子３４１から１ライン毎に順次出力されるＲラインセンサ３０１，Ｂラインセンサ３０３のうち、Ｒラインセンサ３０１の奇数画素の電圧信号が模式的に示されている。同図における（ｃ）では、ＣＣＤ２０７の出力端子３４２からライン毎に出力されるＧラインセンサ３０２の奇数画素の電圧信号が模式的に示されている。同図における（ｄ）では、ＣＣＤ２０７の出力端子３４１から１ライン毎に順次出力されるＲラインセンサ３０１，Ｂラインセンサ３０３のうち、Ｂラインセンサ３０３の奇数画素の電圧信号が模式的に示されている。また、ＣＣＤ２０７の１ラインの周期を規定するLSYNC_BW、LSYNC_G、LSYNC_Cについて、Ｇラインセンサ３０２に対する信号であるLSYNC_Gの周期は、モノクロラインセンサであるＢＷラインセンサ３０４に対する信号であるLSYNC_BWの周期と同じであり、Ｒラインセンサ３０１，Ｂラインセンサ３０３に対する信号であるLSYNC_Cの周期は、モノクロラインセンサであるＢＷラインセンサ３０４に対する信号であるLSYNC_BWの周期の2倍である。このため、モノクロラインセンサと、カラーラインセンサのうちＧラインセンサ３０２と、Ｒラインセンサ３０１，Ｂラインセンサ３０３とでは原稿画像の読み取り解像度が異なる。
【００６４】
モノクロラインセンサによる読み取り解像度を基準にすると、Ｒラインセンサ３０１，Ｂラインセンサ３０３による読み取り解像度は以下のようになる。主走査については、ＣＣＤ２０７からは奇数画素の電圧信号のみ出力される。しかし、モノクロラインセンサについても偶数画素の電圧信号のみ出力される。このため、主走査については、ラインセンサ３０１，Ｂラインセンサ３０３の読み取り解像度は、モノクロラインセンサの主走査の読み取り解像度と同じである。また副走査については、Ｒラインセンサ３０１，Ｂラインセンサ３０３に対するLSYNC_Cの周期はモノクロラインセンサに対するLSYNC_BWの周期の2倍であるため、Ｒラインセンサ３０１，Ｂラインセンサ３０３の読み取り解像度は、モノクロラインセンサの読み取り解像度の1/2になる。例えばＡＣＳ読み取りモード２におけるモノクロラインセンサの読み取り解像度が主走査300dpi、副走査600dpiの場合、Ｇラインセンサ３０２の読み取り解像度は主走査300dpi、副走査600dpiとなり、Ｒラインセンサ３０１，Ｂラインセンサ３０３の読み取り解像度は主走査300dpi、副走査300dpiとなる。尚、例えば、操作ボート９０を介したユーザから操作入力により変倍率が指定されるなどして、原稿画像の読み取り解像度が、出力対象の画像として必要な解像度と異なる場合は、カラーの画像信号に対してはカラー画像処理部３６３が変倍処理を行って解像度を変換し、モノクロの画像信号に対してはモノクロ画像処理部３６２が変倍処理を行って解像度を変換する。
【００６５】
以上のような構成によっても、イメージセンサの出力端子を増やすことなく、カラーの画像信号とモノクロの画像信号とを同時に高速で取得し、画像データを生成することができる。
【００６６】
更に、Ｒ，Ｇ，Ｂの各色のうち特定の色であるＧについては、読み取り解像度を高めることができる。
【００６７】
[第３の実施の形態]
次に、画像読取装置の第３の実施の形態について説明する。なお、上述の第１の実施の形態又は第２の実施の形態と共通する部分については、同一の符号を使用して説明したり、説明を省略したりする。
【００６８】
上述の第１の実施の形態又は第２の実施の形態においては、複合機ＭＦ１は、ＡＣＳ読み取りモード（ＡＣＳ読み取りモード１，２を含む）が指定された場合、イメージセンサであるＣＣＤ２０７はカラー／モノクロ同時動作モード（カラー／モノクロ同時動作モード１，２を含む）に設定され、ＣＣＤ２０７の３つの出力端子のうち２つの出力端子を用いてＢＷラインセンサ３０４の奇数画素の電圧信号及び偶数画素の電圧信号を各々出力し、残りの１つの出力端子を用いてＲラインセンサ３０１，Ｇラインセンサ３０２，Ｂラインセンサ３０３の奇数画素の電圧信号を順次出力し、ＡＣＳ判定部３６４の判定結果に応じて、カラーの画像データを出力するか、モノクロの画像データを生成するかを切り換える構成であった。この構成においては、ＡＣＳ読み取りモードにおける読取速度を通常のモノクロセンサでの読取速度と同じにすることができるため生産性は高いが、カラーの画像信号の読み取り解像度は、モノクロの画像信号の読み取り解像度と比べて、主走査方向で1/2となり、副走査方向で1/3となる。このため、カラーの画像信号の画質は低下する恐れがある。これは、生産性を重視するユーザにとっては問題ないが、画質を重視するユーザにとっては問題になる恐れがある。
【００６９】
そこで、本実施の形態においては、複合機ＭＦ１は、ユーザが画質を重視するか生産性を重視しているかを推定し、推定した結果に応じて、画質を優先するか、生産性を優先するかを切り換える。ユーザが画質を重視するか生産性を重視しているかは、例えば、原稿画像の読み取りが指示された原稿に対する読み取りの手順に応じて推定することができる。具体的には、ユーザが、読取対象の原稿をＡＤＦ２３０の原稿トレイ２４１に載置して、原稿画像の読み取りを指示する操作入力を行った場合、生産性を重視していると推定され、読取対象の原稿をコンタクトガラス２３１上に載置して、原稿画像の読み取りを指示する操作入力を行った場合、画質を重視していると推定される。従って、複合機ＭＦ１は、操作ボード９０を介して、原稿画像の読み取りを指示する操作入力を受け付けた場合に、ＡＤＦ２３０の原稿トレイ２４１に原稿が載置されたか否かを判定し、当該判定結果が肯定的である場合に、ＣＣＤ２０７を含むカラースキャナ２１０及びＡＤＦ２３０をカラー／モノクロ同時動作モードに設定すると共に、スキャナ画像処理部２６３を高生産性ＡＣＳモードに設定し、当該判定結果が否定的である場合に、ＣＣＤ２０７を含むカラースキャナ２１０及びＡＤＦ２３０をカラー動作モードに設定すると共に、スキャナ画像処理部２６３を高画質ＡＣＳモードに設定する。
【００７０】
スキャナ画像処理部２６３のカラー／モノクロ分離部３６１は、高生産性ＡＣＳモードに設定された場合と、高画質ＡＣＳモードに設定された場合とで、入力される信号及び出力する信号が各々異なる。図２１は、カラー／モノクロ分離部３６１が高画質ＡＣＳモードに設定された場合に入力される信号及び出力する信号を例示する図である。この場合、ＣＣＤ２０７は上述したようにカラー動作モードに設定される。同図に示されるLSYNC_Inは、ＣＣＤ２０７から出力されＡＦＥ２１２でＡ／Ｄ変換されてカラー／モノクロ分離部３６１に入力される画像信号について、ライン単位の区切りを示す信号である。LSYNC_Outは、ＣＣＤ２０７から出力されＡＦＥ２１２でＡ／Ｄ変換された画像信号からカラー／モノクロ分離部３６１が分離して各々出力するカラーの画像信号及びモノクロの画像信号について、ライン単位の区切りを示す信号である。In1〜In3は、カラー／モノクロ分離部３６１の備える３つの入力端子を介して各々入力される信号である。In1は、ＣＣＤ２０７から出力されＡＦＥ２１２でＡ／Ｄ変換されてカラー／モノクロ分離部３６１に入力される画像信号のうち、Ｒラインセンサ３０１の電圧信号から変換された画像信号である。In2は、ＣＣＤ２０７から出力されＡＦＥ２１２でＡ／Ｄ変換されてカラー／モノクロ分離部３６１に入力される画像信号のうち、Ｇラインセンサ３０２の電圧信号から変換された画像信号である。In3は、ＣＣＤ２０７から出力されＡＦＥ２１２でＡ／Ｄ変換されてカラー／モノクロ分離部３６１に入力される画像信号のうち、Ｂラインセンサ３０３の電圧信号から変換された画像信号である。Out1〜Out4は、カラー／モノクロ分離部３６１の備える４つの出力端子から各々出力される信号である。Out1は、モノクロ画像処理部３６２に接続される出力端子に出力される信号であり、Out2〜Out４はそれぞれ、カラー画像処理部３６３とＡＣＳ判定部３６４とに接続される出力端子に出力される信号である。高画質ＡＣＳモードにおいては、カラー／モノクロ分離部３６１は、In1（Ｒラインセンサ３０１の画像信号）をOut2として出力し、In3（Ｂラインセンサ３０３の画像信号）をOut4として出力し、In2（Ｇラインセンサ３０２の画像信号）をOut1とOut3として出力する。この場合、ＡＣＳ判定部３６４には、Out2〜Out4としてＲラインセンサ３０１の画像信号、Ｂラインセンサ３０３の画像信号及びＧラインセンサ３０２の画像信号が各々入力され、ＡＣＳ判定部３６４により、これらの画像信号が用いられて、原稿画像がカラーかモノクロかが判定されることになる。
【００７１】
図２２は、カラー／モノクロ分離部３６１が高生産性ＡＣＳモードに設定された場合に入力される信号及び出力する信号を例示する図である。この場合、ＣＣＤ２０７は上述したようにカラー／モノクロ同時動作モードに設定される。このため、In1は、ＣＣＤ２０７から出力されＡＦＥ２１２でＡ／Ｄ変換されてカラー／モノクロ分離部３６１にライン毎に順次入力されるＲラインセンサ３０１，Ｇラインセンサ３０２，Ｂラインセンサ３０３の奇数画素の画像信号である。In2は、ＣＣＤ２０７から出力されＡＦＥ２１２でＡ／Ｄ変換されてカラー／モノクロ分離部３６１に入力される画像信号のうち、ＢＷラインセンサ３０４の奇数画素の電圧信号から変換された画像信号である。In3は、ＣＣＤ２０７から出力されＡＦＥ２１２でＡ／Ｄ変換されてカラー／モノクロ分離部３６１に入力される画像信号のうち、ＢＷラインセンサ３０４の偶数画素の電圧信号から変換された画像信号である。高生産性ＡＣＳモードにおいては、カラー／モノクロ分離部３６１は、In1として入力されるＲラインセンサ３０１，Ｇラインセンサ３０２，Ｂラインセンサ３０３の奇数画素の画像信号のうち、Ｒラインセンサ３０１の奇数画素の画像信号をメモリに蓄積して、2ライン分遅らせてOut2として出力し、Ｇラインセンサ３０２の奇数画素の画像信号をメモリに蓄積して、1ライン分遅らせてOut3として出力し、Ｂラインセンサ３０３の奇数画素の画像信号をOut4として出力する。この結果、Ｒラインセンサ３０１，Ｇラインセンサ３０２，Ｂラインセンサ３０３のそれぞれの画像信号は同時に出力されることになる。従って、この場合も、ＡＣＳ判定部３６４には、Out2〜Out4としてＲラインセンサ３０１の画像信号、Ｂラインセンサ３０３の画像信号及びＧラインセンサ３０２の画像信号が各々同時に入力され、ＡＣＳ判定部３６４により、これらの画像信号が用いられて、原稿画像がカラーかモノクロかが判定されることになる。また、カラー／モノクロ分離部３６１は、In2（ＢＷラインセンサ３０４の奇数画素の画像信号）とIn3（ＢＷラインセンサ３０４の偶数画素の画像信号）とを各々画素単位に分割して、画素が連続するように画像信号を並び換えて、Out1として出力する。
【００７２】
次に、本実施の形態にかかる複合機ＭＦ１の行う処理の手順について説明する。複合機ＭＦ１が原稿画像を読み取る処理の概略は図９の通りであり、図９のステップＳ２で原稿画像の読み取りモードをカラー読み取りモードに設定した場合に原稿画像を読み取る処理の手順及びステップＳ２で原稿画像の読み取りモードをモノクロ読み取りモードに設定した場合に原稿画像を読み取る処理の手順については上述の第１の実施の形態と同様であるため、その説明を省略する。ここでは、ステップＳ１で原稿画像の読み取りモードをＡＣＳ読み取りモードに設定した場合に原稿画像を読み取る処理の手順について図２３を用いて説明する。複合機ＭＦ１のＣＰＵ２６１は、原稿画像をＡＤＦ２３０により読み取るかＡＤＦ２３０を介さずに読み取るかを判定する（ステップＳ６０）。これは、ＡＤＦ２３０の原稿トレイ２４１に原稿が載置されて、原稿画像の読み取りが指示されたか又はコンタクトガラス２３１上に原稿が載置されて、原稿画像の読み取りが指示されたかにより判定する。当該判断結果が肯定的である場合（ステップＳ６０：ＹＥＳ）、ＣＰＵ２６１は、上述の第１の実施の形態のステップＳ１０と同様にして、ＣＣＤ２０７を含むカラースキャナ２１０及びＡＤＦ２３０をカラー／モノクロ同時動作モードに設定する。また、ＣＰＵ２６１は、スキャナ画像処理部２６３を高生産性ＡＣＳモードに設定する（ステップＳ６１）。そして、ＣＰＵ２６１は、ＡＤＦ２３０を制御し、カラースキャナ２１０を制御して、原稿画像の読み取りを開始させる（ステップＳ６２）。原稿画像が読み取られると、ＣＣＤ２０７の出力端子３４２からは、ＢＷラインセンサ３０４の奇数画素の読取信号である電圧信号がライン毎に出力され、出力端子３４３からは、ＢＷラインセンサ３０４の偶数画素の読取信号である電圧信号がライン毎に出力される。また出力端子３４１からは、Ｒラインセンサ３０１，Ｇラインセンサ３０２及びＢラインセンサ３０３のいずれか１つの奇数画素の読取信号である電圧信号が１ライン毎に順次出力される。それぞれの電圧信号は、ＡＦＥ２１２でデジタルの画像信号に変換された後、スキャナ画像処理部２６３で各種画像処理が行われる。具体的な処理の内容は上述の第１の実施の形態のステップＳ１２で説明した内容と同様である。その後ステップＳ１３〜Ｓ１６は上述の第１の実施の形態と同様である。
【００７３】
一方、ステップＳ６０の判定結果が否定的である場合（ステップＳ６０：ＮＯ）、ＣＰＵ２６１は、ＣＣＤ２０７を含むカラースキャナ２１０及びＡＤＦ２３０をカラー動作モードに設定する（ステップＳ６３）。また、ＣＰＵ２６１は、スキャナ画像処理部２６３を高画質ＡＣＳモードに設定する（ステップＳ６４）。そして、ＣＰＵ２６１は、カラースキャナ２１０を制御して、原稿画像の読み取りを開始させる（ステップＳ６５）。原稿画像が読み取られると、ＣＣＤ２０７の出力端子３４１からは、Ｒラインセンサ３０１の読取信号である電圧信号がライン毎に出力され、出力端子３４２からは、Ｇラインセンサ３０２の読取信号である電圧信号がライン毎に出力され、また出力端子３４３からは、Ｂラインセンサ３０３の読取信号である電圧信号がライン毎に出力される。それぞれの電圧信号は、ＡＦＥ２１２でデジタルの画像信号に変換された後、スキャナ画像処理部２６３で各種画像処理が行われる。具体的な処理の内容は上述の第１の実施の形態のステップＳ１２で説明した内容と同様である。その後ステップＳ６６〜Ｓ６９は上述の第１の実施の形態のステップＳ１３〜Ｓ１６と同様である。
【００７４】
高生産性ＡＣＳモードにおける各ラインセンサによる原稿画像の読み取り解像度については、上述の第１の実施の形態のＡＣＳ読み取りモードにおける各ラインセンサによる原稿画像の読み取り解像度と同様であり、図１１を用いて説明した通りである。ここでは、高画質ＡＣＳモードにおける各ラインセンサによる原稿画像の読み取り解像度について図２４を用いて説明する。同図における（ａ）では、ＣＣＤ２０７の出力端子３４１〜３４３からＢＷラインセンサ３０４の電圧信号が出力されないことが模式的に示されている。同図における（ｂ）では、ＣＣＤ２０７の出力端子３４１からライン毎に出力されるＲラインセンサ３０１の電圧信号が模式的に示されている。同図における（ｃ）では、ＣＣＤ２０７の出力端子３４２からライン毎に出力されるＧラインセンサ３０２の電圧信号が模式的に示されている。同図における（ｄ）では、ＣＣＤ２０７の出力端子３４３からライン毎に出力されるＢラインセンサ３０３の電圧信号が模式的に示されている。また、ＣＣＤ２０７の１ラインの周期を規定するLSYNC_BW、LSYNC_Cについて、カラーラインセンサであるＲラインセンサ３０１，Ｇラインセンサ３０２，Ｂラインセンサ３０３に対する信号であるLSYNC_Cの周期は、図１１で説明したモノクロラインセンサであるＢＷラインセンサ３０４に対する信号であるLSYNC_BWの周期の2倍である。
【００７５】
図１１で説明したモノクロラインセンサによる読み取り解像度を基準にすると、高画質ＡＣＳモードにおけるカラーラインセンサによる読み取り解像度は以下のようになる。主走査については、ＣＣＤ２０７からはＲラインセンサ３０１，Ｇラインセンサ３０２，Ｂラインセンサ３０３のそれぞれの奇数画素の電圧信号及び偶数画素の電圧信号が出力されるため、カラーラインセンサの読み取り解像度は、モノクロラインセンサの読み取り解像度と同じになる。また副走査については、カラーラインセンサに対するLSYNC_Cの周期は、図１１で説明したモノクロラインセンサに対するLSYNC_BWの周期の2倍であるが、キャリッジまたは原稿の移動速度を1/2とすることで、カラーラインセンサによる読み取り解像度を図１１で説明したモノクロラインセンサによる読み取り解像度と等しくすることができる。例えば図１１で説明したモノクロラインセンサの読み取り解像度が主走査600dpi、副走査600dpiの場合、本実施の形態にかかる図１２に示されるカラーラインセンサの読み取り解像度は主走査600dpi、副走査600dpiとなる。尚、例えば、操作ボート９０を介したユーザから操作入力により変倍率が指定されるなどして、原稿画像の読み取り解像度が、出力対象の画像として必要な解像度と異なる場合は、カラーの画像信号に対してはカラー画像処理部３６３が変倍処理を行って解像度を変換し、モノクロの画像信号に対してはモノクロ画像処理部３６２が変倍処理を行って解像度を変換する。
【００７６】
以上のようにして、原稿画像をＡＣＳ読み取りモードで読み取る場合に、原稿画像の読み取りが指示される原稿に対する読み取りの手順に応じて、画質を重視しているのか生産性を重視しているのかを推定し、画質を重視していると推定される場合には、ＣＣＤ２０７の出力端子から各カラーラインセンサの高解像度の電圧信号を出力し、生産性を重視していると推定される場合には、ＣＣＤ２０７の出力端子からモノクロラインセンサの高解像度の電圧信号を出力し且つ残りの出力端子からカラーラインセンサの低解像度の電圧信号を順次出力する。これにより、ＡＣＳ読み取りモードにおいて、ユーザの意図に応じて、画質を優先するか生産性を優先するかを適切に切り換えることができる。
【００７７】
例えば、従来より、ＡＣＳモードにおける誤判定を少なくする目的で、ＡＣＳモードにおいて、原稿画像の読取り速度を優先させるか、判定精度を優先させるかを選択して、原稿画像がカラーかモノクロかを判定する画像読取装置（例えば特開２００４−２７４３６６号公報参照）があるが、いずれかを選択するかはユーザが指定しなければならなかった。しかし、本実施の形態においては、この選択自体をユーザが行うのではなく、原稿画像の読み取りが指示された原稿に対する読み取りの手順に応じて、画質を優先するか、生産性を優先するかを適切に切り換えることができる。このため、ユーザの手間を省くことができ、ユーザの利便性を向上させることができる。
【００７８】
以上、第３の実施の形態について説明したが、当該実施の形態に多様な変更または改良を加えることができる。
【００７９】
上述した第３の実施の形態においては、ユーザが画質を重視するか生産性を重視しているかを、原稿画像の読み取りが指示された原稿に対する読み取りの手順に応じて推定したが、これに限らず、原稿画像の読み取りの指示の際に指定される画質モードに応じて推定するようにしても良い。画質モードとは、出力対象の画像の画質の取り扱いを示すものである。画質モードとしては、例えば、出力対象の画像を文字画像として取り扱う文字モードや、出力対象の画像を写真画像として取り扱う写真モードなどがある。例えば、画質モードとして文字モードが指定された場合は、スキャナ画像処理部２６３は、画像処理として鮮鋭化処理の程度を高め、写真モードが指定された場合は、画像処理として平滑化処理の程度を高める。写真モードでは、文字モードに比べて高画質となる。例えば、原稿が写真である場合これを印刷する際には、ユーザは、ＡＣＳ読み取りモードを指定して、原稿画像を読み取らせる場合であっても、高画質なカラーの画像の出力を求めていると推定できる。このため、原稿画像の読み取りを指示する操作入力において、画質モードとして写真モードが指定された場合、画質が重視されていると推定される。この場合、ＣＰＵ２６１は、ＣＣＤ２０７を含むカラースキャナ２１０及びＡＤＦ２３０をカラー動作モードに設定すると共に、スキャナ画像処理部２６３を高画質ＡＣＳモードに設定する。また、原稿画像の読み取りを指示する操作入力において、画質モードとして文字モードが指定された場合、生産性が重視されていると推定される。この場合、ＣＰＵ２６１は、ＣＣＤ２０７を含むカラースキャナ２１０及びＡＤＦ２３０をカラー／モノクロ同時動作モードに設定すると共に、スキャナ画像処理部２６３を高生産性ＡＣＳモードに設定する。尚、操作入力によって画質モード自体が指定されていない場合には、例えば、画質モードとしていずれか一方を選択するようにしても良い。
【００８０】
図２５は、図９のステップＳ１で原稿画像の読み取りモードをＡＣＳ読み取りモードに設定した場合に原稿画像を読み取る処理の手順を示すフローチャートである。複合機ＭＦ１のＣＰＵ２６１は、原稿画像の読み取りを指示する操作入力において、画質モードとして文字モードが指定されたか否かを判定する（ステップＳ８０）。当該判断結果が肯定的である場合（ステップＳ８０：ＹＥＳ）、ステップＳ１０に進み、当該判断結果が否定的である場合（ステップＳ８０：ＮＯ）、ステップＳ６３に進む。ステップＳ１０，Ｓ１３〜Ｓ１６は上述の第１の実施の形態と同様であり、ステップＳ６１〜Ｓ６９は上述の第２の実施の形態と同様である。
【００８１】
以上のように、ＡＣＳ読み取りモードにおいて、原稿画像の読み取りの指示の際に指定される画質モードから推定されるユーザの意図に応じて、画質を優先するか生産性を優先するかを適切に切り換えることができる。
【００８２】
また、ユーザが画質を重視するか生産性を重視しているかを、原稿画像の読み取りの指示の際に指定される画像の出力条件に応じて推定するようにしても良い。例えば、操作ボード９０は、原稿画像をカラーの画像で出力するためのカラー用のスタートボタンと、原稿画像をモノクロの画像で出力するためのモノクロ用のスタートボタンとを備える。ユーザがＡＤＦ２３０の原稿トレイ２４１又はコンタクトガラス２３１上に原稿を載置して、カラー用のスタートボタンを押下した場合、原稿画像を読み取りが指示されると共に、原稿画像をカラーの画像で出力するという出力条件が指定され、モノクロ用のスタートボタンを押下した場合、原稿画像を読み取りが指示されると共に、原稿画像をモノクロの画像で出力するという出力条件が指定されることになる。前者の場合、ユーザは、生産性を重視していると推定され、後者の場合は、画質を優先していると推定される。このため、ＣＰＵ２６１は、カラー用のスタートボタンが押下された場合、ＣＣＤ２０７を含むカラースキャナ２１０及びＡＤＦ２３０をカラー動作モードに設定すると共に、スキャナ画像処理部２６３を高画質ＡＣＳモードに設定する。また、モノクロ用のスタートボタンを押下された場合、ＣＰＵ２６１は、ＣＣＤ２０７を含むカラースキャナ２１０及びＡＤＦ２３０をカラー／モノクロ同時動作モードに設定すると共に、スキャナ画像処理部２６３を高生産性ＡＣＳモードに設定する。尚、カラー用のスタートボタンが押下された場合、原稿画像がカラーであるとＡＣＳ判定部３６４が判定した場合と同様に、複合機ＭＦ１は、カラーでの印刷を行い、モノクロ用のスタートボタンを押下された場合、原稿画像がモノクロであるとＡＣＳ判定部３６４が判定した場合と同様に、複合機ＭＦ１は、モノクロでの印刷を行う。
【００８３】
図２６は、図９のステップＳ１で原稿画像の読み取りモードをＡＣＳ読み取りモードに設定した場合に原稿画像を読み取る処理の手順を示すフローチャートである。複合機ＭＦ１のＣＰＵ２６１は、原稿画像の読み取りを指示する操作入力において、モノクロ用のスタートボタンが押下されたかカラー用のスタートボタンが押下されたかを判定する（ステップＳ９０）。当該判断結果が肯定的である場合（ステップＳ９０：ＹＥＳ）、ステップＳ１０に進み、当該判断結果が否定的である場合（ステップＳ９０：ＮＯ）、ステップＳ６３に進む。ステップＳ１０，Ｓ１３〜Ｓ１６は上述の第１の実施の形態と同様であり、ステップＳ６１〜Ｓ６９は上述の第２の実施の形態と同様である。
【００８４】
以上のように、ＡＣＳ読み取りモードにおいて、原稿画像の読み取りの指示の際に指定される画像の出力条件から推定されるユーザの意図に応じて、画質を優先するか生産性を優先するかを適切に切り換えることができる。
【００８５】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００８６】
上述した各実施の形態において、複合機ＭＦ１で実行される各種プログラムを、インターネット等のネットワークに接続されたコンピュータ上に格納し、ネットワーク経由でダウンロードさせることにより提供するように構成しても良い。また当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録してコンピュータプログラムプロダクトとして提供するように構成しても良い。
【００８７】
上述した各実施の形態において、画像読取装置を、コピー機能、プリンタ機能及びスキャナ機能を有する複合機に適用した例を挙げて説明したが、これに限らない。
【００８８】
上述した各実施の形態において、ＣＣＤ２０７が備える出力端子の数は、カラーラインセンサの数と同数であるとしたが、同数より大きい数であっても良い。このような構成において、動作モードがカラー動作モードである場合、ＣＣＤ２０７からは、各カラーラインセンサの第１の主走査解像度の画像信号が、カラーラインセンサの数より大きい数の出力端子からそれぞれ出力されるようにしても良い。また、動作モードがカラー／モノクロ同時動作モードである場合、ＣＣＤ２０７からは、複数の出力端子のうち２つより大きい数の出力端子が使用されてモノクロラインセンサの第１の主走査解像度の画像信号が出力されるようにしても良い。
【符号の説明】
【００８９】
９０  操作ボード
１００  カラープリンタ
２０７  ＣＣＤ
２１０  カラースキャナ
２１１  読取ユニット
２１２  ＡＦＥ
２３０  ＡＤＦ
２３１  コンタクトガラス
２４１  原稿トレイ
２６０  エンジン
２６１  ＣＰＵ
２６２  画像入出力処理部
２６３  スキャナ画像処理部
２６４  プリンタ画像処理部
２６５  画像処理Ｉ／Ｆ
２７０  コントローラボード
２７１  ＨＤＤ
２７３  画像蓄積制御部
２７６  ローカルメモリ
２７９  システムメモリ
３０１  Ｒラインセンサ
３０２  Ｇラインセンサ
３０３  Ｂラインセンサ
３０４  ＢＷラインセンサ
３０６〜３１３  シフトレジスタ
３１６〜３１８，３３１〜３３６  スイッチ
３２１，３２３，３２５，３２７，３２８  出力アンプ
３４１〜３４３  出力端子
３６１  カラー／モノクロ分離部
３６２  モノクロ画像処理部
３６３  カラー画像処理部
３６４  ＡＣＳ判定部
【先行技術文献】
【特許文献】
【００９０】
【特許文献１】特許第３９４８２１５号公報
【図１】
0005533280.tif 000002
【図２】
0005533280.tif 000003
【図３】
0005533280.tif 000004
【図４】
0005533280.tif 000005
【図５】
0005533280.tif 000006
【図６】
0005533280.tif 000007
【図７】
0005533280.tif 000008
【図８】
0005533280.tif 000009
【図９】
0005533280.tif 000010
【図１０】
0005533280.tif 000011
【図１１】
0005533280.tif 000012
【図１２】
0005533280.tif 000013
【図１３】
0005533280.tif 000014
【図１４】
0005533280.tif 000015
【図１５】
0005533280.tif 000016
【図１６】
0005533280.tif 000017
【図１７】
0005533280.tif 000018
【図１８】
0005533280.tif 000019
【図１９】
0005533280.tif 000020
【図２０】
0005533280.tif 000021
【図２１】
0005533280.tif 000022
【図２２】
0005533280.tif 000023
【図２３】
0005533280.tif 000024
【図２４】
0005533280.tif 000025
【図２５】
0005533280.tif 000026
【図２６】
0005533280.tif 000027